(57)【要約】  １つまたは複数のビーム送信の発生源を識別するためにセル識別子を送信するためのネットワークノードにおける方法は、ネットワークノードのセル識別子（ＣＩＤ）を決定することを含む。本方法はまた、ネットワークノードのビームのビーム識別子（ＢＩＤ）を決定することを含む。本方法は、ＣＩＤおよびＢＩＤをリンクさせること、ならびにＢＩＤおよびＣＩＤを１つまたは複数のユーザ機器（ＵＥ）に送信することをさらに含む。【選択図】図６Ｃ
2019534644.tif 000002
【特許請求の範囲】
【請求項１】
１つまたは複数のビーム送信の発生源を識別するためにセル識別子を送信するためのネットワークノード（１１５）における方法（６４５）であって、
前記ネットワークノード（１１５）のセル識別子（３１０）を決定すること（６５０）と、
前記ネットワークノード（１１５）のビームのビーム識別子を決定すること（６５５）と、
前記セル識別子（３１０）および前記ビーム識別子をリンクさせること（６６０）と、
前記ビーム識別子および前記セル識別子（３１０）を１つまたは複数のユーザ機器（１１０）に送信すること（６６５）と
を含む、方法（６４５）。
【請求項２】
前記セル識別子（３１０）を前記ビーム識別子とリンクさせることが、
前記ビーム識別子からシーケンスを取得することと、
前記セル識別子（３１０）を前記シーケンスでスクランブルすることと
を含む、請求項１に記載の方法（６４５）。
【請求項３】
前記セル識別子（３１０）を前記ビーム識別子とリンクさせることが、
前記ビーム識別子からシーケンスを取得することと、
前記送信されたセル識別子（３１０）と関連付けられたフィールドを前記シーケンスでスクランブルすることと
を含む、請求項１に記載の方法（６４５）。
【請求項４】
前記セル識別子（３１０）を第１のサブフィールドおよび第２のサブフィールドへ分割することをさらに含み、前記第１のサブフィールドが、前記第２のサブフィールドとは別々に変調される、請求項１から３のいずれか一項に記載の方法（６４５）。
【請求項５】
前記セル識別子（３１０）が、周波数領域内でスクランブルされる、請求項１から４のいずれか一項に記載の方法（６４５）。
【請求項６】
前記セル識別子（３１０）が、復調用参照信号により１つまたは複数のリソースエレメントで送信される、請求項１に記載の方法（６４５）。
【請求項７】
前記セル識別子（３１０）が、シンボル内のリソースエレメントを占有する、エンコードおよび直交振幅変調されたシンボルのシーケンスである、請求項１または６に記載の方法（６４５）。
【請求項８】
前記セル識別子（３１０）が、ビーム識別子送信とは別々に送信される、請求項１に記載の方法（６４５）。
【請求項９】
前記セル識別子（３１０）が、物理ダウンリンク制御チャネルを通じて送信される、請求項８に記載の方法（６４５）。
【請求項１０】
前記ビーム識別子が、前記物理ダウンリンク制御チャネルを受信するための無線ネットワーク一時識別子にマップする、請求項９に記載の方法（６４５）。
【請求項１１】
前記セル識別子（３１０）が、前記ユーザ機器（１１０）に定期的に送信されるようにスケジューリングされる、請求項１および８から１０のいずれか一項に記載の方法（６４５）。
【請求項１２】
前記セル識別子（３１０）と前記ビーム識別子とのマッピングを用いて前記ユーザ機器（１１０）を設定することをさらに含む、請求項１に記載の方法（６４５）。
【請求項１３】
前記セル識別子（３１０）を前記ビーム識別子とリンクさせることが、前記ビーム識別子に基づいて、時間／周波数リソース、復調用参照信号、および変調レベルのうちの１つまたは複数、ならびにセル識別子送信のための符号化方式を選択することを含む、請求項１に記載の方法（６４５）。
【請求項１４】
前記セル識別子送信が、前記ビーム識別子送信と同じ直交周波数分割多重シンボル内で実施される、請求項１に記載の方法（６４５）。
【請求項１５】
１つまたは複数のビーム送信の発生源を識別するためにセル識別子を受信するためのＵＥ（１１０）における方法（６７０）であって、
ネットワークノードからビーム識別子を受信すること（６７５）と、
前記ビーム識別子にリンクされたセル識別子（３１０）を受信すること（６８０）と
を含む、方法（６７０）。
【請求項１６】
前記ネットワークノードからの前記ビーム識別子と関連付けられたモビリティ参照信号からスクランブリングシーケンスを抽出することと、
前記スクランブリングシーケンスを使用して前記セル識別子（３１０）をデスクランブルすることと
をさらに含む、請求項１５に記載の方法（６７０）。
【請求項１７】
前記セル識別子（３１０）が、第１のサブフィールドおよび第２のサブフィールドへ分割され、前記第１のサブフィールドが、前記第２のサブフィールドとは別々に変調される、請求項１５または１６に記載の方法（６７０）。
【請求項１８】
前記セル識別子（３１０）が、周波数領域内でスクランブルされる、請求項１５から１７のいずれか一項に記載の方法（６７０）。
【請求項１９】
前記セル識別子（３１０）が、復調用参照信号により１つまたは複数のリソースエレメントで送信される、請求項１５に記載の方法（６７０）。
【請求項２０】
前記ビーム識別子の関数として復調用参照信号シーケンスを抽出することと、
前記１つまたは複数のリソースエレメントを使用してチャネルを推定することと、
前記セル識別子（３１０）を復調することと
をさらに含む、請求項１９に記載の方法（６７０）。
【請求項２１】
前記セル識別子（３１０）が、シンボル内のリソースエレメントを占有する、エンコードおよび直交振幅変調されたシンボルのシーケンスである、請求項１５または１９に記載の方法（６７０）。
【請求項２２】
前記セル識別子（３１０）が、前記ビーム識別子の送信とは別々に送信される、請求項１５に記載の方法（６７０）。
【請求項２３】
前記セル識別子（３１０）が、物理ダウンリンク制御チャネルを通じて送信される、請求項２２に記載の方法（６７０）。
【請求項２４】
前記ビーム識別子が、前記物理ダウンリンク制御チャネルを受信するための無線ネットワーク一時識別子にマップする、請求項２３に記載の方法（６７０）。
【請求項２５】
前記セル識別子（３１０）が、前記ユーザ機器（１１０）に定期的に送信されるようにスケジューリングされる、請求項１５および２２から２４のいずれか一項に記載の方法（６７０）。
【請求項２６】
前記ユーザ機器（１１０）が、前記セル識別子（３１０）と前記ビーム識別子とのマッピングを用いて設定される、請求項１５に記載の方法（６７０）。
【請求項２７】
前記ビーム識別子と関連付けられたビームの信号品質を推定するために、前記ビーム識別子および前記セル識別子（３１０）を使用することをさらに含む、請求項１５から２６のいずれか一項に記載の方法（６７０）。
【請求項２８】
受信したモビリティ参照信号をそれらの発生元セルに従ってグループ分けするために、前記受信したセル識別子を使用することをさらに含む、請求項１５から２７のいずれか一項に記載の方法（６７０）。
【請求項２９】
１つまたは複数のビーム送信の発生源を識別するためにセル識別子を送信するためのネットワークノード（１１５）であって、
メモリ（８３０）と、
前記メモリ（８３０）に通信可能に結合されるプロセッサ（８２０）と、を備え、前記プロセッサ（８２０）が、
前記ネットワークノード（１１５）のセル識別子（３１０）を決定し、
前記ネットワークノード（１１５）のビームのビーム識別子を決定し、
前記セル識別子（３１０）および前記ビーム識別子をリンクさせ、
前記ビーム識別子および前記セル識別子（３１０）を１つまたは複数のユーザ機器（１１０）に送信する
ように設定される、ネットワークノード（１１５）。
【請求項３０】
前記セル識別子（３１０）を前記ビーム識別子とリンクさせることが、
前記ビーム識別子からシーケンスを取得することと、
前記セル識別子（３１０）を前記シーケンスでスクランブルすることと
を含む、請求項２９に記載のネットワークノード（１１５）。
【請求項３１】
前記セル識別子（３１０）を前記ビーム識別子とリンクさせることが、
前記ビーム識別子からシーケンスを取得することと、
前記セル識別子（３１０）と関連付けられたフィールドを前記シーケンスでスクランブルすることと
を含む、請求項２９に記載のネットワークノード（１１５）。
【請求項３２】
前記プロセッサ（８２０）が、前記セル識別子（３１０）を第１のサブフィールドおよび第２のサブフィールドへ分割するようにさらに設定され、前記第１のサブフィールドが、前記第２のサブフィールドとは別々に変調される、請求項２９から３１のいずれか一項に記載のネットワークノード（１１５）。
【請求項３３】
前記セル識別子（３１０）が、周波数領域内でスクランブルされる、請求項２９から３２のいずれか一項に記載のネットワークノード（１１５）。
【請求項３４】
前記セル識別子（３１０）が、復調用参照信号により１つまたは複数のリソースエレメントで送信される、請求項２９に記載のネットワークノード（１１５）。
【請求項３５】
前記セル識別子（３１０）が、シンボル内のリソースエレメントを占有する、エンコードおよび直交振幅変調されたシンボルのシーケンスである、請求項２９または３４に記載のネットワークノード（１１５）。
【請求項３６】
前記セル識別子（３１０）が、前記ビーム識別子送信とは別々に送信される、請求項２９に記載のネットワークノード（１１５）。
【請求項３７】
前記セル識別子（３１０）が、物理ダウンリンク制御チャネルを通じて送信される、請求項３６に記載のネットワークノード（１１５）。
【請求項３８】
前記ビーム識別子が、前記物理ダウンリンク制御チャネルを受信するための無線ネットワーク一時識別子にマップする、請求項３７に記載のネットワークノード（１１５）。
【請求項３９】
前記セル識別子（３１０）が、前記ユーザ機器（１１０）に定期的に送信されるようにスケジューリングされる、請求項２９および３６から３８のいずれか一項に記載のネットワークノード（１１５）。
【請求項４０】
前記プロセッサ（８２０）が、前記セル識別子（３１０）と前記ビーム識別子とのマッピングを用いて前記ユーザ機器（１１０）を設定するようにさらに設定される、請求項２９に記載のネットワークノード（１１５）。
【請求項４１】
前記セル識別子（３１０）を前記ビーム識別子とリンクさせることが、前記ビーム識別子に基づいて、時間／周波数リソース、復調用参照信号、および変調レベルのうちの１つまたは複数、ならびにセル識別子送信のための符号化方式を選択することを含む、請求項２９に記載のネットワークノード（１１５）。
【請求項４２】
前記セル識別子送信が、前記ビーム識別子送信と同じ直交周波数分割多重シンボル内で実施される、請求項２９に記載のネットワークノード（１１５）。
【請求項４３】
１つまたは複数のビーム送信の発生源を識別するためにセル識別子を受信するためのユーザ機器（１１０）であって、
メモリ（７３０）と、
前記メモリ（７３０）に通信可能に結合されるプロセッサ（７２０）と、を備え、前記プロセッサ（７２０）が、
ネットワークノードからビーム識別子を受信し、
前記ビーム識別子にリンクされたセル識別子（３１０）を受信する
ように設定される、ユーザ機器（１１０）。
【請求項４４】
前記プロセッサ（７２０）が、
前記ネットワークノードからの前記ビーム識別子と関連付けられたモビリティ参照信号からスクランブリングシーケンスを抽出し、
前記スクランブリングシーケンスを使用して前記セル識別子（３１０）をデスクランブルするようにさらに設定される、請求項４３に記載のユーザ機器（１１０）。
【請求項４５】
前記セル識別子（３１０）が、第１のサブフィールドおよび第２のサブフィールドへ分割され、前記第１のサブフィールドが、前記第２のサブフィールドとは別々に変調される、請求項４３または４４に記載のユーザ機器（１１０）。
【請求項４６】
前記セル識別子（３１０）が、周波数領域内でスクランブルされる、請求項４３から４５のいずれか一項に記載のユーザ機器（１１０）。
【請求項４７】
前記セル識別子（３１０）が、復調用参照信号により１つまたは複数のリソースエレメントで送信される、請求項４３に記載のユーザ機器（１１０）。
【請求項４８】
前記プロセッサ（７２０）が、
前記ビーム識別子の関数として復調用参照信号シーケンスを抽出し、
前記１つまたは複数のリソースエレメントを使用してチャネルを推定し、
前記セル識別子（３１０）を復調するようにさらに設定される、請求項４７に記載のユーザ機器（１１０）。
【請求項４９】
前記セル識別子（３１０）が、シンボル内のリソースエレメントを占有する、エンコードおよび直交振幅変調されたシンボルのシーケンスである、請求項４３または４７に記載のユーザ機器（１１０）。
【請求項５０】
前記セル識別子（３１０）が、前記ビーム識別子の送信とは別々に送信される、請求項４３に記載のユーザ機器（１１０）。
【請求項５１】
前記セル識別子（３１０）が、物理ダウンリンク制御チャネルを通じて送信される、請求項５０に記載のユーザ機器（１１０）。
【請求項５２】
前記ビーム識別子が、前記物理ダウンリンク制御チャネルを受信するための無線ネットワーク一時識別子にマップする、請求項５１に記載のユーザ機器（１１０）。
【請求項５３】
前記セル識別子（３１０）が、前記ユーザ機器（１１０）に定期的に送信されるようにスケジューリングされる、請求項４３および５０から５２のいずれか一項に記載のユーザ機器（１１０）。
【請求項５４】
前記ユーザ機器（１１０）が、前記セル識別子（３１０）と前記ビーム識別子とのマッピングを用いて設定される、請求項４３に記載のユーザ機器（１１０）。
【請求項５５】
前記プロセッサ（７２０）が、前記ビーム識別子と関連付けられたビームの信号品質を推定するために、前記ビーム識別子および前記セル識別子（３１０）を使用するようにさらに設定される、請求項４３から５４のいずれか一項に記載のユーザ機器（１１０）。
【請求項５６】
前記プロセッサ（７２０）が、受信したモビリティ参照信号をそれらの発生元セルに従ってグループ分けするために、前記受信したセル識別子を使用するようにさらに設定される、請求項４３から５５のいずれか一項に記載のユーザ機器（１１０）。
【発明の詳細な説明】
【技術分野】
【０００１】
本開示は、概して、無線通信、およびより具体的には、モビリティ参照信号に関する。
【背景技術】
【０００２】
ＲＡＮ１＃８６ｂｉｓにおいては、接続モードユーザ機器（ＵＥ）内でのダウンリンク（ＤＬ）測定に基づいたＬ３モビリティでは、少なくとも非ＵＥ特有ＤＬ信号が、接続モード無線リソース管理（ＲＲＭ）測定のために使用され得るということが同意されている。加えて、接続モードＲＲＭ測定のための特定のＤＬ信号についてさらなる調査が実施される：（１）セルＩＤ（例えば、Ｎｅｗ  Ｒａｄｉｏプライマリ同期信号（ＮＲ−ＰＳＳ）、Ｎｅｗ  Ｒａｄｉｏセカンダリ同期信号（ＮＲ−ＳＳＳ））を伝達するセル関連の参照信号（ＲＳ）、（２）モビリティ用のＲＳ：ビーム−ＩＤおよび／またはセルＩＤとの関連付け、（３）ブロードキャストチャネルを復調するためのＲＳ、ならびに（４）（１）および（２）の組み合わせ。他の選択肢は排除されない。さらに、（１）セルごとに得られる（例えば、マルチビームの場合、マルチビーム測定の関数として）、（２）ビームごとに得られる、および（３）（１）および（２）の組み合わせである、Ｌ３モビリティについて報告されるべき特定のＲＲＭ測定量についてさらなる調査が実施される。
【発明の概要】
【０００３】
ビームグループ分け標示は、セルのローカル識別のためにすでに設定されているセルＩＤ（ＣＩＤ）情報を利用する。そのようなローカル識別子の例は、ＬＴＥにおける物理セル識別子（ＰＣＩ）である。ＭＲＳが送信され、ビームＩＤ情報を伝達する。ＢＩＤと関連付けられて、追加のＣＩＤ情報が送信され、これはＢＩＤを検出するときに検出され得る。ＣＩＤ情報は、ＢＩＤを検出する前、後、または同時に検出され得ることを理解されたい。したがって、ＵＥは、ＭＲＳを受信し、ＢＩＤを検出し、関連ＣＩＤを検出するためにＢＩＤから関連付け情報を抽出し、最後に、ＢＩＤと関連付けられたＣＩＤを検出する。代替的に、ＣＩＤおよびＢＩＤ部は、別々に検出されて、それらの関連付けが確立され得る。
【０００４】
関連付けられたＣＩＤ情報を提供するいくつかの例としては、
・ＢＩＤから得られるシーケンスでスクランブルされるシーケンス変調されたＣＩＤ情報を送信すること
・復調用参照信号（ＤＭＲＳ）ならびに変調レベルおよび符号化方式（ＭＣＳ）がＢＩＤから得られるＣＩＤ情報を有する従来通りに変調されたシンボルを送信すること
・時間／周波数（Ｔ／Ｆ）リソース、ＤＭＲＳ、および／またはＭＣＳがＢＩＤから得られる物理ダウンリンクチャネル（ＰＤＣＨ）コンテナを送信すること
・ＢＩＤとそれらの対応するＣＩＤとのマッピングを提供する専用制御シグナリングメッセージをＵＥに送信すること
が挙げられる。
【０００５】
好ましい実施形態において、ネットワーク（ＮＷ）においてＭＲＳ送信およびＵＥにおいて受信に伴うようにＣＩＤ情報を含めることは、設定可能であり、いくつかの配置においては、その送信は省略され得る。
【０００６】
特定の実施形態において、１つまたは複数のビーム送信の発生源を識別するためにセル識別子を送信するためのネットワークノードにおける方法は、ネットワークノードのセル識別子（ＣＩＤ）を決定することを含む。本方法はまた、ネットワークノードのビームのビーム識別子（ＢＩＤ）を決定することを含む。本方法は、ＣＩＤおよびＢＩＤをリンクさせること、ならびにＢＩＤおよびＣＩＤを１つまたは複数のユーザ機器（ＵＥ）に送信することをさらに含む。
【０００７】
別の実施形態において、１つまたは複数のビーム送信の発生源を識別するためにセル識別子を受信するためのＵＥにおける方法は、ネットワークノードからＢＩＤを受信すること、およびＢＩＤにリンクされたＣＩＤを受信することを含む。
【０００８】
さらに別の実施形態において、１つまたは複数のビーム送信の発生源を識別するためにセル識別子を送信するためのネットワークノードは、メモリおよびプロセッサを含む。プロセッサは、メモリに通信可能に結合され、ネットワークノードのセル識別子（ＣＩＤ）を決定する。プロセッサはまた、ネットワークノードのビームのビーム識別子（ＢＩＤ）を決定し、ＣＩＤおよびＢＩＤをリンクさせる。プロセッサは、ＢＩＤおよびＣＩＤを１つまたは複数のユーザ機器（ＵＥ）にさらに送信する。
【０００９】
別の実施形態において、１つまたは複数のビーム送信の発生源を識別するためにセル識別子を受信するためのユーザ機器（ＵＥ）は、メモリおよびプロセッサを含む。プロセッサは、メモリに通信可能に結合される。プロセッサは、ネットワークノードからＢＩＤを受信し、ＢＩＤにリンクされたＣＩＤを受信する。
【００１０】
本開示の特定の実施形態は、１つまたは複数の技術的利点を提供し得る。例えば、特定の実施形態において、ＵＥは、ＭＲＳに明白にリンクされる追加のグループＩＤ（例えば、セルＩＤ）送信に基づいて、どのＭＲＳ信号が同じセルから生じるかを識別することができる。これは、ＭＲＳによってアドレス指定されるビームの数を減少させることなく、およびグループＩＤの頻繁な協調を必要とすることなく、達成される。本特徴は、より効率的なハンドオーバ測定および手続きを可能にする。他の利点は、当業者には容易に明らかになり得る。特定の実施形態は、列挙された利点のいずれも有さない、いくつかを有する、またはすべてを有する場合がある。
【００１１】
開示される実施形態ならびにそれらの特徴および利点のより完全な理解のため、これより、添付の図面と併せて以下の説明に関して言及する。
【図面の簡単な説明】
【００１２】
【図１】特定の実施形態に従う、例示的なネットワークの例証を示す図である。
【図２】特定の実施形態に従う、例示的なネットワークの例証を示す図である。
【図３】特定の実施形態に従う、例示的な信号の例証を示す図である。
【図４】特定の実施形態に従う、例示的な信号の例証を示す図である。
【図５】特定の実施形態に従う、例示的な信号タイミングの例証を示す図である。
【図６Ａ】特定の実施形態に従う、ビームグループ分け標示の例示的な方法を示すフローチャートである。
【図６Ｂ】特定の実施形態に従う、ビームグループ分け標示の例示的な方法を示すフローチャートである。
【図６Ｃ】特定の実施形態に従う、ビームグループ分け標示の例示的な方法を示すフローチャートである。
【図６Ｄ】特定の実施形態に従う、ビームグループ分け標示の例示的な方法を示すフローチャートである。
【図７】特定の実施形態に従う、例示的な無線デバイスのブロック概略図である。
【図８】特定の実施形態に従う、例示的なネットワークノードのブロック概略図である。
【図９】特定の実施形態に従う、例示的な無線ネットワークコントローラまたはコアネットワークノードのブロック概略図である。
【図１０】特定の実施形態に従う、例示的な無線デバイスのブロック概略図である。
【図１１】特定の実施形態に従う、例示的なネットワークノードのブロック概略図である。
【図１２】アイドルおよび接続モードモビリティ用のＮＲ同期信号の実装形態例を示す図である。
【図１３】アイドルおよび接続モードモビリティ用のＮＲ同期信号の実装形態例を示す図である。
【図１４】アイドルおよび接続モードモビリティ用のＮＲ同期信号の実装形態例を示す図である。
【図１５】アイドルおよび接続モードモビリティ用のＮＲ同期信号の実装形態例を示す図である。
【図１６】ＮＲ  ＤＬモビリティ測定信号設計の実装形態例を示す図である。
【図１７】ＮＲ  ＤＬモビリティ測定信号設計の実装形態例を示す図である。
【発明を実施するための形態】
【００１３】
自己完結型であり、同期、送受信ポイント（ＴＲＰ）識別、および信号品質測定機能をサポートするアクティブモードモビリティ信号が望まれている。アクティブモードモビリティ測定信号のための信号フォーマットが企図される。
【００１４】
近隣セルのセットからのＭＲＳ送信が正しく協調されるとき、個々のＭＲＳによって伝達されるビームＩＤは固有である。ＵＥは、検出したビームＩＤのみを使用して測定を報告することができ、ネットワークは、報告されたビームをそれらの発生元セル／ＴＲＰに関連付けることができる。ＵＥは、以前のＲＲＣ設定情報を使用して、サービングセルから生じるＭＲＳを明示的に認識することができる。しかしながら、いくつかの場合においては、ＵＥが、他の非サービングセルからのＭＲＳをそれらの起源に従ってグループ分けすることが有利であり得る。
【００１５】
本開示は、まず、接続モードＲＲＭ測定のためのＤＬ信号の４つのオプションを比較し、グループ分け情報を提供するための動機について論じるが、単に４つのオプションのみが存在するのではなく、他のオプションも可能であるということを理解されたい。
【００１６】
オプション１：セルＩＤを伝達しているセル関連のＲＳ（例えば、ＮＲ−ＰＳＳ、ＮＲ−ＳＳＳ）
オプション１では、候補は、ＮＲセルＩＤをエンコードし、セル選択およびセル再選択のためのＲＲＭ測定、システム情報を復号するための同期、物理ランダムアクセスチャネル（ＰＲＡＣＨ）リソースのためのＤＬ同期参照など、アイドルモード動作のためにサポートを提供することが想定されるＮＲ−ＰＳＳ／ＮＲ−ＳＳＳである。そのような信号を使用することの主なメリットは、これがモビリティ用の新規ＲＳの定義を回避することである。しかしながら、ＮＲ−ＰＳＳ／ＮＲ−ＳＳＳを使用することの問題は、それらを非常に狭いビーム形成で送信し、狭い単一のビームごとに送信物理ブロードキャストチャネル（ＰＢＣＨ）のオーバーヘッドを作成する（ＵＥがそれらを検出することができる一方で、ビーム形成されたデータチャネルを復号もするように）ことが強いられること、または、追加のオーバーヘッドまたは低減されたデータレートを表す測定ギャップが設定されなければならないこと、のいずれかである。加えて、アクティブモードモビリティ要件を満たすために、アイドルモード動作の周期性を調整することを強いられる。これは、信号がより頻繁に送信されることを必要とし得る。同じ懸念が、任意の他のセル特有参照信号にも当てはまる。
【００１７】
オプション１の別の問題は、同じＮＲ−ＰＳＳ／ＮＲ−ＳＳＳ（および／または別のセル特有ＲＳ）を送信する広幅ビームがほとんどないと仮定すると、ＵＥには所与の送信−受信ポイント（ＴＲＰ）からのビームを区別することが困難であり得るということである。Ｌ３モビリティの場合、ビームを区別するこの能力は、例えば、１回限りの測定がサポートされず、ＵＥが複数回の同じビームを平均する場合には、ビームあたりのＲＲＭ測定を実施するには必要不可欠であり得、これはオプション１においてはより困難であり得る。別の理由は、ＵＥが、近隣セルのＲＲＭ測定をサービングセルに報告しなければならないことであり、その場合、所与のセルがサービングセルよりも良好であると報告することは、単純にビーム情報をサービングセルから隠す。アナログおよび／またはハイブリッドビーム形成において、基地局受信器は、ＰＲＡＣＨのためのＲｘビーム形成を使用し得、それは、所与のビームおよび／または同じＴＲＰからのビームのグループに関連付けられる。その場合、どのビームおよび／またはどのＰＲＡＣＨリソースにアクセスするかを通知しないことは、ＵＥが、ＵＥがアクセスしようとしているビームに関連付けられたＰＲＡＣＨリソースにアクセスしない（例えば、ＵＬ干渉を作成する、および／または正しいＰＲＡＣＨカバレッジを有さない）か、または、ＵＥが、ハンドオーバが実行されるたびに近隣ビームからＰＢＣＨを読み出さなければならないか、のいずれかを引き起こし得、これは今日、ＬＴＥにおいては当てはまらない。
【００１８】
オプション２：モビリティ用のＲＳ
オプション２では、モビリティ用に使用される新規ＲＳは、ネットワークが、ＲＲＣ接続状態におけるモビリティに対する特定の要件を満たすようにその信号を送信する柔軟性を有することを可能にする。新規信号または信号の新規セットを規定することは、ネットワークがこれらのモビリティ参照信号（ＭＲＳ）をアイドルモード動作のために規定されるような異なるビーム形成設定で送信すること、例えば、狭ビーム内でのＭＲＳ送信（ＮＲ−ＰＳＳ／ＮＲ−ＳＳＳが広幅ビームで、ならびに／または無指向性、および／もしくは単一周波数ネットワーク（ＳＦＮ）で送信されるときに測定ギャップを作成する必要性を回避するため）を可能にするが、ＮＲ−ＰＳＳ／ＮＲ−ＳＳＳ／ＰＢＣＨは、広幅ビームで送信され得る（システム情報送信のオーバーヘッドを低減するため）。ビーム形成を異なって設定する可能性に加えて、新規信号（例えば、既存の信号の特別な目的のために構築されたパッケージ）はまた、エネルギー効率のための長い不連続送信（ＤＴＸ）サイクルを可能にするために重要な、特にアイドルモードにおいて重要な、異なる周期性の使用を可能にする。
【００１９】
オプション２に関連した未解決問題は、このモビリティＲＳをビームＩＤおよび／またはセルＩＤと関連付けるかどうかであった。モビリティＲＳは、Ｌ３モビリティをサポートするために少なくともビームＩＤを伝達して、オプション１に備わる困難を軽減しなければならない。しかしながら、アクティブモードモビリティの要件を満たすようにＭＲＳを設定するという柔軟性、例えば、アイドルモード動作のために設計されたＮＲ−ＰＳＳ／ＮＲ−ＳＳＳとは異なるビーム形成特性を有することを達成するため、ならびに、同時に、モビリティＲＳをアイドルモード動作のために使用されるＮＲセルに関連付けることのいくつかのメリットを達成するためには、以下のような異なる解決策が研究されなければならない：
−オプションａ）ＭＲＳ識別子の範囲によってビームのグループを規定する。次いで、識別子とセルＩＤとの関連付けが行われ得る。
−オプションｂ）ビームのグループを、それらが送信される周波数リソースによって規定する。周波数リソースとＭＲＳとの関連付けが送信され、セルＩＤも、システム情報を介して送信され得る。
−オプションｃ）アイドルモードのために使用されるセルＩＤおよびモビリティＲＳ内のビームＩＤをエンコードする：このときこれらがどのようにして、例えば単一の変調シーケンスを使用して、エンコードされるかを検討する。
【００２０】
オプション３：ブロードキャスティングチャネルの復調用のＲＳ
ＰＲＡＣＨ検出のためのＲｘアナログビーム形成の使用を仮定すると、ビーム特有ＰＢＣＨを有する可能性が存在し、そのため、ＵＥは、各ビームの品質も測定し、オプション２について上で論じられた要件を満たすために、単純にこれらの参照信号を使用してＰＢＣＨを復号し得る。その場合、ＵＥは、ＮＲ−ＰＳＳ／ＮＲ−ＳＳＳを使用してこれらのビームをグループ分けすることができる。しかしながら、結局のところこれらのＰＢＣＨ  ＲＳが、異なるＰＢＣＨコンテンツを送信するビームにわたる干渉を回避するためにビーム特有ＲＳであるべきかどうかは明白ではない。
【００２１】
オプション４：オプション１および２の組み合わせ
オプション２のメリットおよびオプション１の利点のいくつかを考慮すると、特に、狭ビーム内で（例えば、より低い周波数内で、および／またはＵＥが非常に高いデータレートで常に送信されているわけではなく、測定ギャップが設定される必要がない、または問題ではないときに）ＲＲＭ測定のためのこれらのＲＳを送信する必要がない場合、ネットワークは、ＮＲ−ＰＳＳ／ＮＲ−ＳＳＳ（ＰＢＣＨ用に使用されるＲＳさえ含む）上で測定する、および／またはアイドルに使用されるセルＩＤと関連付けられ得るビームのグループのいくつかの概念をエンコードし得るモビリティＲＳを新たに設計する、のいずれかであるようにＵＥを設定する柔軟性を有し得る。
【００２２】
アクティブモードモビリティのための発生元セルを識別する任意選択的な可能性によりアイドルセル信号およびアクティブモビリティＲＳの両方をサポートすることは、ネットワークソリューションの範囲が特定の配置条件およびオペレータの選好と一致することを可能にする。
【００２３】
ＭＲＳ設計
自己完結型であり、同期、ＴＲＰ識別、および信号品質測定機能をサポートするアクティブモードモビリティ信号について論じられている。近隣セルのセットからのＭＲＳ送信が正しく協調されるとき、個々のＭＲＳによって伝達されるビームＩＤは固有である。ＵＥは、検出したビームＩＤのみを使用して測定を報告することができ、ネットワークは、報告されたビームをそれらの発生元セル／ＴＲＰに関連付けることができる。ＵＥは、以前のＲＲＣ設定情報を使用して、サービングセルから生じるＭＲＳを明示的に認識することができる。
【００２４】
ビームグループ分けの動機
ダウンリンクベースのアクティブモードモビリティは、サービングノードに属するＭＲＳ上の測定を他のＭＲＳと比較することに基づく。ＵＥは、どのＭＲＳがこのサービングノードに属するかを知っていなければならず、これは、「サービングＭＲＳセット」と表記される。報告の目的のために、「外ＭＲＳ」（サービングＭＲＳセット内にないＭＲＳ）がサービングＭＲＳセット内のＭＲＳよりも良好である場合、ＵＥは、どのノードに外ＭＲＳが属するかを知る必要がない。
【００２５】
しかしながら、ＵＥはまた、他の非サービングセルからのＭＲＳをそれらの起源に従ってグループ分けすることも望み得る。
【００２６】
２つのＭＲＳが同じノードに属することをＵＥが知っている場合、ＵＥは、例えば、第１の外ＭＲＳトリガ条件付けが発生するときに、ＭＲＳ測定報告のためのトリガ時間（ＴＴＴ）を開始する。このときＵＥが第２の外ＭＲＳがより良好になることに気が付くと、ＵＥは、ＴＴＴを実行し続けることができる。
【００２７】
ＵＥが２つ以上の外ＭＲＳが同じノードに属することを知っている場合にＵＥが行うことができる別のことは、２つの測定を組み合わせて、ＵＥがハンドオーバ後に予期することができる品質をより良く反映し得る複合測定にすることである。
【００２８】
いくつかのＭＲＳが同じ非サービングセルから生じることをＵＥが認識することを可能にするために、ＭＲＳ送信は、同じセルからのビームグループに共通するが、異なるセルからのグループでは異なるいくつかのインジケータを含まなければならない。
【００２９】
いくつかのソリューションにおいて、設定された時間、周波数、およびシーケンスリソースを介してＭＲＳにより伝搬されるビームＩＤ（ＢＩＤ）フィールドが、同じセルから発生するビームに共通するグループＩＤを含むために使用され得る。例えば、ＢＩＤフィールドが１０ビットに及ぶ場合、４ビットはグループ（例えば、セル）を識別するために、残りの６ビットはグループ内のビームを識別するために使用され得る。
【００３０】
しかしながら、この手法は、深刻な欠点を有する。例えば、グループＩＤへの４ビットの割り当ては、セル内の個々のビームを識別するために残されたビットの数を低減する。おそらくより重要なことには、グループＩＤの割り当ては、グループＩＤの不一致を回避するためにセルの所与の近傍において協調されなければならない。これは、セル間またはＴＲＰ間交渉およびシグナリングに関してかなりのオーバーヘッドを課し得る。
【００３１】
したがって、セルあたりに特定されるビームの数を低減しない、および／またはセル同士の頻繁な協調を要求しないビームグループを示すための方法が望まれている。
【００３２】
本開示は、モビリティ参照信号（ＭＲＳ）内へのセルＩＤ情報の包含に関する。電気通信ネットワークにおいて、ネットワークノードは、信号をユーザ機器（ＵＥ）（例えば、携帯電話、タブレットなど）に送信し、またそこから信号を受信し得る。ネットワークノードが信号を送信および受信するエリアは、「セル」と呼ばれる。ネットワークノードはまた、信号が通信されるビームを形成することによってセル内で信号を送信および受信し得る。ビームは、セルの一部分のみをカバーし得、セル内の特定のロケーション（例えば、ＵＥのロケーション）に向けて指向され得る。ＵＥに向けてビームを形成することによって、ＵＥへのおよびＵＥからの信号品質が、改善および／または向上され得る。例えば、指向ビームは、ＵＥが、さもなければ干渉および／または信号劣化によって妨害され得る信号を受信することを可能にする。
【００３３】
ネットワークノードは、セルおよびビームの両方のための識別子を通信し得る。セル識別子（ＣＩＤ）は、ネットワークノードまたはそのネットワークノードによってカバーされるセルを識別する。ビーム識別子（ＢＩＤ）は、ネットワークノードの特定のビームを識別する。従来の電気通信ネットワークでは、ネットワークノードのＣＩＤおよびＢＩＤは、互いにリンクされない。言い換えると、ＵＥは、特定のビームが送信されるセルをビームの受信したＢＩＤのみから決定することができない。逆に、ＵＥは、特定のセル内のビームをセルの受信したＣＩＤのみから決定することができない。その結果、ＵＥが異なるセルから複数のビームを受信するようにＵＥが位置付けられるとき、ＵＥが、その無線を特定のビームに同調するかどうかを決定することは困難になり得る。例えば、ＵＥが特定のビームに同調することは、その同調が、ＵＥが異なるセルおよび／またはネットワークノードに接続するためにハンドオーバを実施することを結果的にもたらす場合には、望ましくない場合がある。しかし、ＵＥは特定のビームにリンクされるセルを決定することができないため、ＵＥが、そのビームに同調するかどうかを決定することは困難である。
【００３４】
本開示は、ＢＩＤがＣＩＤにリンクされるネットワークを企図する。特定の実施形態において、ＢＩＤおよびＣＩＤをリンクさせることにより、ＵＥは、ビームのＢＩＤを使用して、ビームが形成されるセルを識別することができる。その結果、ＵＥは、例えば、特定のセルまたはネットワークノードからのビームを別のセルまたはネットワークノードからのビームよりも優先させることなど、以前には不可能であった機能を実施することができる。加えて、ＵＥは、ビームをそれらのセルまたはネットワークノードによってグループ分けすることができる。ネットワークおよびその機能は、図１〜１１を使用して説明される。
【００３５】
図１は、特定の実施形態に従う、例示的なネットワークの例証である。ネットワーク１００は、１つまたは複数のＵＥ１１０（同義で、無線デバイス１１０と呼ばれ得る）、および１つまたは複数のネットワークノード１１５（同義で、拡張ノードＢ（ｅＮＢ）、または５Ｇネットワークノード（ｇＮＢ）１１５と呼ばれ得る）を含む。本開示は、任意の好適なネットワークであるネットワーク１００を企図する。例えば、ネットワーク１００は、２Ｇ、３Ｇ、４Ｇ、ＬＴＥ、もしくは５Ｇ（Ｎｅｗ  Ｒａｄｉｏ（ＮＲ）とも呼ばれる）ネットワーク、またはこれらのタイプのネットワークのうちのいずれかの組み合わせであり得る。５Ｇ実装形態において、ネットワーク１００は、ネットワーク１００の他のコンポーネント（例えば、１つまたは複数のユーザ機器（ＵＥ）１１０）を用いて無線信号を送信および受信する送受信ポイント（ＴＲＰ）としての役割を果たす１つまたは複数の５Ｇネットワークノード（ｇＮＢ）１１５を含み得る。本明細書で使用される特定の用語は、Ｌｏｎｇ−Ｔｅｒｍ  Ｅｖｏｌｕｔｉｏｎ（ＬＴＥ）ネットワークにおいて使用されることが全体的に理解されるが、これらの用語は、単に例にすぎず、本開示を特定のネットワークに制限すると理解されるべきではない。３ＧＰＰ  Ｎｅｗ  Ｒａｄｉｏ（ＮＲ）などの他の無線システムは、本明細書に説明される特徴のいずれかを実施するために企図される。
【００３６】
ＵＥ１１０は、無線インターフェースを通じてネットワークノード１１５と通信し得る。例えば、ＵＥ１１０は、無線信号をネットワークノード１１５のうちの１つもしくは複数に送信し、および／またはネットワークノード１１５のうちの１つもしくは複数から無線信号を受信し得る。無線信号は、音声トラフィック、データトラフィック、制御信号、および／または任意の他の好適な情報を含み得る。いくつかの実施形態において、ネットワークノード１１５と関連付けられた無線信号カバレッジのエリアは、セル１２５と呼ばれ得る。いくつかの実施形態において、ＵＥ１１０は、デバイスツーデバイス（Ｄ２Ｄ）能力を有し得る。したがって、ＵＥ１１０は、直接、別のＵＥから信号を受信すること、および／または別のＵＥに信号を送信することができてもよい。
【００３７】
特定の実施形態において、ネットワークノード１１５は、無線ネットワークコントローラとインターフェースし得る。無線ネットワークコントローラは、ネットワークノード１１５を制御し得、特定の無線リソース管理機能、モビリティ管理機能、および／または他の好適な機能を提供し得る。特定の実施形態において、無線ネットワークコントローラの機能が、ネットワークノード１１５に含まれ得る。無線ネットワークコントローラは、コアネットワークノードとインターフェースし得る。特定の実施形態において、無線ネットワークコントローラは、相互接続ネットワーク１２０を介してコアネットワークノードとインターフェースし得る。相互接続ネットワーク１２０は、音声、映像、信号、データ、メッセージ、または前述の任意の組み合わせを送信することができる任意の相互接続システムを指し得る。相互接続ネットワーク１２０は、公衆交換電話網（ＰＳＴＮ）、公衆または専用データネットワーク、ローカルエリアネットワーク（ＬＡＮ）、メトロポリタンエリアネットワーク（ＭＡＮ）、広域ネットワーク（ＷＡＮ）、インターネットなどのローカル、地域的、もしくは大域的な通信もしくはコンピュータネットワーク、有線もしくは無線ネットワーク、企業イントラネット、または、それらの組み合わせを含む、任意の他の好適な通信リンクのすべてまたは一部分を含み得る。
【００３８】
いくつかの実施形態において、コアネットワークノードは、通信セッションおよびＵＥ１１０のための様々な他の機能性の確立を管理し得る。ＵＥ１１０は、非アクセスストレータム層を使用して、特定の信号をコアネットワークノードと交換し得る。非アクセスストレータムシグナリングにおいて、ＵＥ１１０とコアネットワークノードとの間の信号は、無線アクセスネットワークを介してトランスペアレントに通過され得る。特定の実施形態において、ネットワークノード１１５は、例えば、Ｘ２インターフェースなどのノード間インターフェースを通じて１つまたは複数のネットワークノードとインターフェースし得る。
【００３９】
上に説明されるように、ネットワーク１００の実施形態例は、１つまたは複数の無線デバイス１１０、および無線デバイス１１０と（直接的または間接的に）通信することができる１つまたは複数の異なるタイプのネットワークノードを含み得る。
【００４０】
いくつかの実施形態において、非限定的な用語ＵＥが使用される。本明細書に説明されるＵＥ１１０は、無線信号を通じてネットワークノード１１５または別のＵＥと通信することができる任意のタイプの無線デバイスであり得る。ＵＥ１１０はまた、無線通信デバイス、ターゲットデバイス、Ｄ２Ｄ  ＵＥ、マシン型通信ＵＥまたはマシンツーマシン通信（Ｍ２Ｍ）ができるＵＥ、低費用および／または低複雑性ＵＥ、ＵＥを備えたセンサ、タブレット、モバイル端末、スマートフォン、ラップトップ埋込型機器（ＬＥＥ）、ラップトップ搭載型機器（ＬＭＥ）、ＵＳＢドングル、顧客宅内機器（ＣＰＥ）などであり得る。ＵＥ１１０は、そのサービングセルに関して標準カバレッジまたは拡張カバレッジのいずれかで動作し得る。拡張カバレッジは、同義に、拡大カバレッジと呼ばれ得る。ＵＥ１１０はまた、複数のカバレッジレベル（例えば、標準カバレッジ、拡張カバレッジレベル１、拡張カバレッジレベル２、拡張カバレッジレベル３など）内で動作し得る。いくつかの場合において、ＵＥ１１０は、カバレッジ外のシナリオでも動作し得る。
【００４１】
また、いくつかの実施形態において、一般的な用語「無線ネットワークノード」（または単に「ネットワークノード」）が使用される。それは、基地局（ＢＳ）、無線基地局、ノードＢ、基地局（ＢＳ）、ＭＳＲ  ＢＳなどのマルチスタンダード無線（ＭＳＲ）無線ノード、エボルブドノードＢ（ｅＮＢ）、ネットワークコントローラ、無線ネットワークコントローラ（ＲＮＣ）、基地局コントローラ（ＢＳＣ）、リレーノード、リレードナーノード制御リレー、ベーストランシーバ基地局（ＢＴＳ）、アクセスポイント（ＡＰ）、無線アクセスポイント、送信ポイント、送信ノード、リモートラジオユニット（ＲＲＵ）、リモート無線ヘッド（ＲＲＨ）、分散アンテナシステム（ＤＡＳ）内のノード、マルチセル／マルチキャスト協調エンティティ（ＭＣＥ）、コアネットワークノード（例えば、ＭＳＣ、ＭＭＥなど）、Ｏ＆Ｍ、ＯＳＳ、ＳＯＮ、位置決めノード（例えば、Ｅ−ＳＭＬＣ）、ＭＤＴ、または任意の他の好適なネットワークノードを含み得る、あらゆる種類のネットワークノードであり得る。
【００４２】
ネットワークノードおよびＵＥなどの用語は、非限定的と見なされるべきであり、特に、２つの間の特定の階層関係を暗示するものではなく、一般に、「ｅノードＢ」はデバイス１として、「ＵＥ」はデバイス２として見なされ得、これら２つのデバイスは、何らかの無線チャネルを通じて互いと通信する。
【００４３】
ＭＲＳ設計基準
ＭＲＳは、動的に設定可能であり（どのビーム、どのくらいの頻度、形状など）、自己完結型（同じビーム内のＭＲＳ関連の情報、一緒にアクチベート／非アクチベートされる）であり、異なるカバレッジ特性を有する複数の信号に依存しないものとする。それは、同期、ビーム検出、品質測定を可能にし、数百もの固有ビームのアドレス空間を提供するものとする。ＢＩＤは、ＵＥが受信したビームＩＤを報告するときに、対応するＴＲＰ／セルがどれであるかがＮＷに分かるように局所的に固有である（ＴＲＰ／セル間協調される）ものとする。ビームあたりの持続時間は、高速ビームスイープ／スキャンを可能にするために短く保たれるものとする。
【００４４】
具体事例を提供する目的のため、本開示は、ＭＲＳによって提供される効果的なビームＩＤ（ＢＩＤ）アドレス空間を提供するベースラインＭＲＳ設定が、したがっておよそ１０ビットであり、９５個のＲＥ内で送信することを検討する。妥当な仮定は、ローカルＣＩＤ（ＬＴＥにおけるＰＣＩに対応する）が１０ビットを収容しなければならないというものである。
【００４５】
ＭＲＳ設計は、１００未満のＲＥからなるサブバンド内に含まれ得る。オプション１に従う追加のＣＩＤ情報は、６０以上のＲＥを占有する。元々の１００ＲＥ割り当ては、ＡＭＭ測定では比較的限られたものと見なされ得、いくつかのシナリオにおいては、より幅広いＭＲＳ割り当てが測定ロバスト性を改善し得ると示唆されている。冗長なＢＩＤ情報を提供するために追加のＢＷまたは追加のＲＥを使用する代わりに、これらは、ＣＩＤ情報を提供するために使用され得る。
【００４６】
ＭＲＳ内へのグループＩＤの包含
ＵＥが、特定の候補ビームＭＲＳが同じ（非サービング）セルに由来すること（例えば、図内のＮＲセル２由来のＭＲＳ−４および−５）を認識することができるように、関連性のあるグループ識別子（ＧＩＤ）が、ＭＲＳ送信と関連付けられなければならない。非サービングセルＭＲＳグループ分けを可能にするためには、セル識別子（ＣＩＤ）情報は、ＭＲＳ送信と関連付けられるべきＧＩＤとしての良い選択であり得る。
【００４７】
図２は、特定の実施形態に従う、例示的なネットワークの例証である。図２に示されるように、サービングセル（セル１）１２５Ａは、ＭＲＳセット内に３つのＭＲＳ（ＭＲＳ−１、ＭＲＳ−２、およびＭＲＳ−３）を有し得、他のセル（セル２および３）１２５Ｂおよび１２５Ｃは、４つの外ＭＲＳ（ＭＲＳ−４からＭＲＳ−７）を有し得る。これらのＭＲＳは、ネットワークノード１１５によってＵＥ１１０に送信され得る。
【００４８】
ＣＩＤ情報は、ローカルスコープ（ＳＳ／ＰＣＩ）、またはグローバルスコープ（例えば、ＡＮＲのために使用されるグローバルセルＩＤ）を有し得る。この議論において、追加のリソース影響を最小限にするために、本開示は、ＰＳＳ／ＳＳＳ情報と同等であるローカルＣＩＤに焦点を合わせる。しかしながら、ＣＩＤ情報は、例えば、ＰＳＳ／ＳＳＳ送信内と同じ物理フォーマットを前提とする必要はない。いくつかの実施形態において、より低いリソース使用影響に起因して、ＭＲＳ内のローカルＣＩＤ情報を関連付けることが好ましい。
【００４９】
ＣＩＤを含めるためのオプション
ＢＩＤ＋ＣＩＤセットの全長はおよそ２０ビットであるため、これは単一メッセージシーケンス変調には好適ではない。したがって本開示は、ＢＩＤ対ＣＩＤマッピング情報を提供する複数の手法を提案する。
【００５０】
ＭＲＳ送信内にＣＩＤ情報を追加することは、ＭＲＳビームがアクティブであるときにはいつでも、より多くの制御情報を送信することを結果としてもたらし得る。いくつかのタイプの配置においては、非サービングＭＲＳのセルごとのグループ分けおよび関連したＣＩＤ情報は必要とされない。代わりに、ＵＥは、各非サービングセルＢＩＤを異なるセルから生じると報告し得るか、またはＭＲＳ送信特徴が、特定のビームが同じセルから生じることを推測するためにＵＥによって使用され得る。ＭＲＳ内へのＣＩＤフィールドの包含、または他の手段によりＣＩＤ情報を提供することは、設定可能であるものとする。論じられるものと同じ原理は、ＭＲＳが、設定されたＢＷ内でコンパクトではないが、ＭＲＳ  ＢＷ内のＲＥの非隣接グループに割り当てられる場合に使用され得る。
【００５１】
１．シーケンス変調フィールドとしてＣＩＤを追加すること
このオプションにおいて、ＣＩＤ３１０情報は、ＴＳＳ＋ＢＲＳフィールドとは別であるが、スクランブリングを使用して明白な様式でそれにリンクされて、別個のフィールドとしてＭＲＳシンボルに追加される。図３の例に示されるように、ＣＩＤ３１０は、２つの５ビットシーケンス変調されたシーケンスとしてＭＲＳ（ＴＳＳ／ＢＳＲ）に伴って送信される。ＣＩＤ３１０送信部（ＣＩＤａ３１０およびＣＩＤｂ３１０）を明白に関連付けるために、それらは、例えば、ＴＳＳおよびＢＲＳ内のＭＲＳアイデンティティでスクランブルされる。ＣＩＤ３１０は、ＭＲＳから別個の送信として送信され得る。
【００５２】
過度に長いシーケンスを必要とすることなく１０ビットのＣＩＤ３１０を収容するために、ＣＩＤフィールドは、例えば、Ｍシーケンスを使用して、別個にシーケンス変調される２つの長さ５のサブフィールドＣＩＤａ３１０およびＣＩＤｂ３１０へ分割される。ＣＩＤａ３１０およびＣＩＤｂ３１０フィールドは、周波数領域内で、ＭＲＳ内のＢＩＤから得られるスクランブリングシーケンスでスクランブルされる。したがって、ＵＥは、まず時間および周波数領域内でＭＲＳを検出し、次にスクランブリングシーケンスを抽出し、周波数領域内のＣＩＤａ３１０およびＣＩＤｂ３１０フィールドのコンテンツを検出する。スクランブリングは検出の前に除去されるため、ＣＩＤシーケンスの相互相関特性は、スクランブリングによって悪影響を受けない。本手法は、ビームスイープ内の各ビーム送信の持続時間を単一シンボルに保つ。
【００５３】
例において、ＵＥは、ＭＲＳを受信し、ＴＳＳおよびＢＲＳを抽出する。ＵＥは、次いで、ＴＳＳおよびＢＲＳから指標を抽出し得る。ＵＥは、その指標を使用して、マッピングからＢＩＤを獲得し得る。ＵＥは、次いで、ＢＩＤをＴＳＳおよびＢＲＳと組み合わせる。ＵＥは、この組み合わせからデスクランブリングコードを獲得することができる。ＵＥは、次いで、このデスクランブリングコードを使用して、ＣＩＤ（例えば、ＣＩＤａ３１０およびＣＩＤｂ３１０）をデスクランブルし得る。
【００５４】
２．従来通りエンコードされたフィールドとしてＣＩＤを追加すること
このオプションにおいて、ＣＩＤ情報は、ＴＳＳ＋ＢＲＳフィールドとは別であるが、従来の変調およびエンコードを使用して、別個のフィールドとして、送信されたＭＲＳビーム内に追加される。図４の例において、ＣＩＤ３１０は、物理チャネル内で「従来通りにエンコードされたフィールド」としてＭＲＳ（ＴＳＳ／ＢＳＲ）に伴って送信される。関連したＣＩＤ３１０を含む物理チャネルは、ＤＭＲＳ、またはＭＲＳアイデンティティから得られるスクランブリングコードを使用して明白にされ得る。
【００５５】
ＣＩＤ３１０フィールドは、ＴＳＳ／ＢＲＳフィールドと同じ単一シンボル内のＲＥを占有するエンコードおよびＱＡＭ変調されたシンボルのシーケンスであり得る。ＣＩＤ３１０フィールドは、チャネル推定の目的のためにＤＭＲＳを有するＲＥを含み、図では黒で示される。エンコーディング方式およびＣＩＤフィールドの割合は、十分なリンクバジェットを提供するように適切に選ばれる。ＵＥは、まず時間および周波数領域内でＭＲＳを検出し、次にＢＩＤの関数としてＤＭＲＳシーケンスを抽出し、最後にチャネルを推定し、ＣＩＤフィールドを復調／復号する。上のように、本手法は、ビームスイープ内の各ビーム送信の持続時間を単一シンボルに保つ。
【００５６】
特定の実施形態において、このオプションは、既定のＣＩＤシーケンスが検出されることを必要としない。本質的に、ＣＩＤ３１０は、エンコードされた情報を伝達するオープンチャネルで通信される。その結果、チャネルは、冗長情報を含み得る。各チャネルは、チャネル推定のために使用される（例えば、ＣＩＤ３１０断片を検出、抽出、および復号するため）リソースエレメント（ＲＥ）を通信し得る。
【００５７】
３．物理ダウンリンクチャネル（ＰＤＣＨ）コンテナを使用してＣＩＤを提供すること
このオプションにおいて、ＣＩＤ情報は、ＴＳＳ／ＢＲＳフィールドと同じビーム形成で送信される、別個のＰＤＣＨ送信として追加される。図５の例において、特定のＭＲＳと関連付けられたＣＩＤは、ＭＲＳアイデンティティから得られるＰＤＣＣＨ／ＰＤＳＣＨ設定を使用して定期的にスケジューリングされ得る。このＰＤＣＣＨ／ＰＤＣＨ設定は、次いで、関連したＭＲＳと同じビーム形成を使用して送信される。
【００５８】
ＣＩＤフィールドは、ＣＩＤ情報を含む従来のＰＤＣＣＨ／ＰＤＣＨ送信である。すべてのＭＲＳ送信が、ＰＤＣＨコンテナを伴う必要はない。ＵＥは、まず時間および周波数領域内でＭＲＳを検出する。ＢＩＤ情報は、ＰＤＣＣＨを受信するためのＲＮＴＩにマップし、このＰＤＣＣＨがＰＤＣＨを指し示す。代替的に、ＢＩＤ情報は、ＰＤＣＨパラメータ（ＲＢ、ＤＭＲＳ、ＭＣＳなど）に直接マップし得る。
【００５９】
特定の実施形態において、ＣＩＤは、ＭＲＳと非同期で送信される。その結果、ＣＩＤは、いくつかの場合においてはＭＲＳと一緒に、いくつかの場合においてはＭＲＳとは別に送信される。ＣＩＤは、ＭＲＳの後に送信される次のシンボルである必要はない。ＣＩＤは、制御チャネル（例えば、ＰＤＣＣＨ）を借り得る。ＵＥは、ＰＤＣＣＨ上で別個のＣＩＤ送信を検出し得る。ＭＲＳは、ＣＩＤとは異なるチャネルを通じて送信される。オプション１および／またはオプション２と類似したスクランブリングが、ＣＩＤおよびＭＲＳに対して実施され得る。ＵＥは、ＭＲＳを受信し、ＭＲＳからＢＩＤを抽出し得る。ＢＩＤは、ＰＤＣＣＨにマップする。
【００６０】
４．専用制御シグナリングを介してＣＩＤ情報をＵＥに提供すること
ＵＥは、ＭＲＳによって伝搬される考えられ得るＢＩＤとそれらの対応するＣＩＤとの間のマッピングを用いて先に設定され得る。次いで、ＭＲＳ送信は、元のフォーマットを保ち、ＣＩＤ情報は、無線で伝搬される。
【００６１】
本手法は、ＭＲＳ対セルマッピングが稀に変化する、広幅ビームの定期的なＭＲＳ送信を用いた配置のための効率的なソリューションである。変化が発生するたびに、ＮＷは、更新されたマッピングでＵＥを再設定する。
【００６２】
５．ＭＲＳ  ＩＤ部分範囲から同じ発生元セルを推測すること
ＭＲＳによって伝搬されるＢＩＤビットの事前規定されたセットは、所与の発生元セルについて局所的に固有として割り当てられ得、グループＩＤを形成する。例えば、１０ビットＢＩＤ内の４つのＭＳＢは、特定のセルから生じるすべてのビームについて同じであり得るが、６つのＬＳＢは、ビーム特有であり得る。
【００６３】
ＢＩＤビットは、ＭＲＳ信号（時間／周波数／ＴＳＳシーケンス／ＢＲＳシーケンス）の異なる次元内で伝搬され得、グループＩＤビットがＭＲＳ受信時に抽出される。ＢＩＤビット内のグループＩＤフィールドを分離する特別なケースは、ＭＲＳ内の残りのＢＩＤビットとはバラバラに受信することができる別個の信号としてグループＩＤフィールドを送信することによる。
【００６４】
６．ＭＲＳ周波数から同じ発生元セルを推測すること
ローカル近傍内の各セルは、ＭＲＳ送信のための全く異なる周波数サブバンドを割り当てられる。次いで、特定のサブバンド内で検出されるすべてのＭＲＳは、同じセルから生じると仮定され得る。
【００６５】
図６Ａは、ビームグループ分け標示の例示的な方法６００を示すフローチャートである。特定の実施形態においては、ネットワークノードが、方法６００を実施する。ネットワークノードは、ステップ６０５においてグループＩＤを決定することから開始する。ステップ６１０において、ネットワークノードは、１つまたは複数のビームのビームＩＤを決定する。次いで、ネットワークノードは、ステップ６１５においてビームＩＤ情報を送信する。ステップ６２０において、ネットワークノードは、グループＩＤ情報を送信する。
【００６６】
図６Ｂは、ビームグループ分け標示の例示的な方法６２５を示すフローチャートである。特定の実施形態においては、ＵＥが、方法６２５を実施する。ＵＥは、ステップ６３０においてビームＩＤ情報を受信することから開始する。ステップ６３５において、ＵＥは、関連したグループＩＤ受信を設定する。次いで、ＵＥは、その設定に従ってグループＩＤ情報を受信する。
【００６７】
図６Ｃは、ビームグループ分け標示の例示的な方法６４５を示すフローチャートである。特定の実施形態においては、ネットワークノードが、方法６４５を実施する。ネットワークノードは、ステップ６５０においてネットワークノードのセル識別子（ＣＩＤ）を決定することから開始する。ＣＩＤは、ネットワークノードによってサーブされるセルを識別し得る。ネットワークノードは次いで、ネットワークノードのビームのビーム識別子（ＢＩＤ）を決定する。ＢＩＤは、ネットワークノードによって形成されるビームを識別し得る。ステップ６６０において、ネットワークノードは、ＣＩＤおよびＢＩＤをリンクさせる。ネットワークノードは、上に説明されるＣＩＤおよびＢＩＤをリンクさせるためのオプションのいずれかを実施し得る。ステップ６６５において、ネットワークノードは、ＢＩＤおよびＣＩＤを１つまたは複数のユーザ機器に送信する。ネットワークノードは、同じ送信または異なる送信でＢＩＤおよびＣＩＤを送信し得る。
【００６８】
図６Ｄは、ビームグループ分け標示の例示的な方法６７０を示すフローチャートである。特定の実施形態においては、ＵＥが、方法６７０を実施する。ＵＥは、ネットワークノードからビーム識別子（ＢＩＤ）を受信することから開始する。ＢＩＤは、ネットワークノードによって形成されるビームを識別し得る。ステップ６８０において、ＵＥは、ＢＩＤにリンクされたＣＩＤを受信する。ＣＩＤは、ネットワークノードによってサーブされるセルを識別し得る。
【００６９】
図７は、特定の実施形態に従う、例示的な無線デバイス１１０のブロック概略図である。無線デバイス１１０は、ノードと、および／またはセルラまたは移動体通信システム内の別の無線デバイスと通信する任意のタイプの無線デバイスを指し得る。無線デバイス１１０の例としては、携帯電話、スマートフォン、ＰＤＡ（パーソナルデジタルアシスタント）、ポータブルコンピュータ（例えば、ラップトップ、タブレット）、センサ、モデム、マシン型通信（ＭＴＣ）デバイス／マシンツーマシン（Ｍ２Ｍ）デバイス、ラップトップ埋込型機器（ＬＥＥ）、ラップトップ搭載型機器（ＬＭＥ）、ＵＳＢドングル、Ｄ２Ｄ可能デバイス、または無線通信を提供することができる別のデバイスが挙げられる。無線デバイス１１０はまた、いくつかの実施形態においては、ＵＥ、ステーション（ＳＴＡ）、デバイス、または端末と呼ばれ得る。無線デバイス１１０は、トランシーバ７１０、プロセッサ７２０、およびメモリ７３０を含む。いくつかの実施形態において、トランシーバ７１０は、（例えば、アンテナ７４０を介して）ネットワークノード１１５に無線信号を送信すること、およびネットワークノード１１５から無線信号を受信することを促進し、プロセッサ７２０は、無線デバイス１１０によって提供されるものとして上に説明される機能性の一部またはすべてを提供するための命令を実行し、メモリ７３０は、プロセッサ７２０によって実行される命令を格納する。
【００７０】
プロセッサ７２０は、図１から図６Ｂに関連して上に説明される無線デバイス１１０の機能など、無線デバイス１１０の説明された機能の一部またはすべてを実施するための命令および操作データを実行するために、１つまたは複数のモジュール内に実装されるハードウェアおよびソフトウェアの任意の好適な組み合わせを含み得る。例えば、プロセッサ７２０は、ネットワークノードからＢＩＤおよびリンクされたＣＩＤを受信するように設定され得る。ＢＩＤおよびＣＩＤは、同じ送信または異なる送信において受信され得る。いくつかの実施形態において、プロセッサ７２０は、例えば、１つもしくは複数のコンピュータ、１つもしくは複数の中央処理ユニット（ＣＰＵ）、１つもしくは複数のマイクロプロセッサ、１つもしくは複数のアプリケーション、１つもしくは複数の特定用途向け集積回路（ＡＳＩＣ）、１つもしくは複数のフィールドプログラマブルゲートアレイ（ＦＰＧＡ）、および／または他の論理などの処理回路を含み得る。処理回路は、電流の流れを方向付けるように組み立てられる電気コンポーネント（例えば、抵抗器、トランジスタ、コンデンサ、インダクタなど）の任意の組み合わせを含み得る。
【００７１】
メモリ７３０は、論理、規則、アルゴリズム、コード、テーブルなどのうちの１つもしくは複数を含むコンピュータプログラム、ソフトウェア、アプリケーションなどの命令、および／またはプロセッサによって実行されることが可能である他の命令を格納するように概して動作可能である。メモリ７３０の例としては、コンピュータメモリ（例えば、ランダムアクセスメモリ（ＲＡＭ）またはリードオンリメモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、ならびに／または、プロセッサ７２０によって使用され得る情報、データ、および／または命令を格納する任意の他の揮発性もしくは不揮発性の非一時的なコンピュータ可読および／もしくはコンピュータ実行可能メモリデバイスが挙げられる。
【００７２】
無線デバイス１１０の他の実施形態は、上に説明される機能性のいずれかおよび／または任意の追加の機能性（上に説明されるソリューションをサポートするのに必要な任意の機能性を含む）を含む、無線デバイスの機能性の特定の側面を提供することを担い得る、図７に示されるもの以外の追加のコンポーネントを含み得る。単に１つの例として、無線デバイス１１０は、プロセッサ７２０の部分であり得る、入力デバイスおよび回路、出力デバイス、ならびに１つまたは複数の同期ユニットまたは回路を含み得る。入力デバイスは、無線デバイス１１０内へのデータのエントリのための機構を含む。例えば、入力デバイスは、マイク、入力素子、ディスプレイなどの入力機構を含み得る。出力デバイスは、音声、映像、および／またはハードコピーフォーマットでデータを出力するための機構を含み得る。例えば、出力デバイスは、スピーカ、ディスプレイなどを含み得る。
【００７３】
図８は、特定の実施形態に従う、例示的なネットワークノードのブロック概略図である。ネットワークノード１１５は、任意のタイプの無線ネットワークノード、またはＵＥおよび／もしくは別のネットワークノードと通信する任意のネットワークノードであり得る。ネットワークノード１１５の例としては、ｅノードＢ、ノードＢ、基地局、無線アクセスポイント（例えば、Ｗｉ−Ｆｉアクセスポイント）、低電力ノード、ベーストランシーバ基地局（ＢＴＳ）、リレー、ドナーノード制御リレー、送信ポイント、送信ノード、リモートＲＦユニット（ＲＲＵ）、リモート無線ヘッド（ＲＲＨ）、ＭＳＲ  ＢＳなどのマルチスタンダード無線（ＭＳＲ）無線ノード、分散アンテナシステム（ＤＡＳ）内のノード、Ｏ＆Ｍ、ＯＳＳ、ＳＯＮ、位置決めノード（例えば、Ｅ−ＳＭＬＣ）、ＭＤＴ、または任意の他の好適なネットワークノードが挙げられる。ネットワークノード１１５は、ホモジニアス配置、ヘテロジニアス配置、または混合配置としてネットワーク１００全体にわたって配置され得る。ホモジニアス配置は、一般には、同じ（または同様の）タイプのネットワークノード１１５、ならびに／または同様のカバレッジおよびセルサイズおよびサイト間距離で構成された配置を説明し得る。ヘテロジニアス配置は、一般には、異なるセルサイズ、送信電力、容量、およびサイト間距離を有する様々なタイプのネットワークノード１１５を使用した配置を説明し得る。例えば、ヘテロジニアス配置は、マクロセルレイアウト全体にわたって配置される複数の低電力ノードを含み得る。混合配置は、ホモジニアス部分およびヘテロジニアス部分の混合を含み得る。
【００７４】
ネットワークノード１１５は、トランシーバ８１０、プロセッサ８２０、メモリ８３０、およびネットワークインターフェース８４０のうちの１つまたは複数を含み得る。いくつかの実施形態において、トランシーバ８１０は、（例えば、アンテナ８５０を介して）無線デバイス１１０に無線信号を送信すること、および無線デバイス１１０から無線信号を受信することを促進し、プロセッサ８２０は、ネットワークノード１１５によって提供されるものとして上に説明される機能性の一部またはすべてを提供するための命令を実行し、メモリ８３０は、プロセッサ８２０によって実行される命令を格納し、ネットワークインターフェース８４０は、ゲートウェイ、スイッチ、ルータ、インターネット、公衆交換電話網（ＰＳＴＮ）、コアネットワークノード、または無線ネットワークコントローラなどの後置ネットワークコンポーネントに信号を通信する。
【００７５】
プロセッサ８２０は、上の図１から図７に関連して上に説明されるものなどのネットワークノード１１５の説明された機能の一部またはすべてを実施するための命令および操作データを実行するために、１つまたは複数のモジュール内に実装されるハードウェアおよびソフトウェアの任意の好適な組み合わせを含み得る。例えば、プロセッサ８２０は、ビームのためのＢＩＤおよびセルのためのＣＩＤを決定し得る。プロセッサ８２０は、ＣＩＤが抽出され、デスクランブルされ、復号され、および／またはＢＩＤから決定され得るように、上に説明されるプロセスを使用してＢＩＤおよびＣＩＤをリンクさせる。プロセッサ８２０はまた、１つまたは複数の送信を使用してＢＩＤおよびＣＩＤをユーザ機器１１０に送信し得る。いくつかの実施形態において、プロセッサ８２０は、例えば、１つもしくは複数のコンピュータ、１つもしくは複数の中央処理ユニット（ＣＰＵ）、１つもしくは複数のマイクロプロセッサ、１つもしくは複数のアプリケーション、および／または他の論理などの処理回路を含み得る。処理回路は、電流の流れを方向付けるように組み立てられる電気コンポーネント（例えば、抵抗器、トランジスタ、コンデンサ、インダクタなど）の任意の組み合わせを含み得る。
【００７６】
メモリ８３０は、論理、規則、アルゴリズム、コード、テーブルなどのうちの１つもしくは複数を含むコンピュータプログラム、ソフトウェア、アプリケーションなどの命令、および／またはプロセッサによって実行されることが可能である他の命令を格納するように概して動作可能である。メモリ８３０の例としては、コンピュータメモリ（例えば、ランダムアクセスメモリ（ＲＡＭ）またはリードオンリメモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、ならびに／または、情報を格納する任意の他の揮発性もしくは不揮発性の非一時的なコンピュータ可読および／もしくはコンピュータ実行可能メモリデバイスが挙げられる。
【００７７】
いくつかの実施形態において、ネットワークインターフェース８４０は、プロセッサ８２０に通信可能に結合され、ネットワークノード１１５の入力を受信する、ネットワークノード１１５からの出力を送信する、入力もしくは出力もしくは両方の好適な処理を実施する、他のデバイスに通信する、または先述の任意の組み合わせを行うように動作可能な、任意の好適なデバイスを指し得る。ネットワークインターフェース８４０は、ネットワークを通じて通信するために、プロトコル変換およびデータ処理能力を含む、適切なハードウェア（例えば、ポート、モデム、ネットワークインターフェースカードなど）およびソフトウェアを含み得る。
【００７８】
ネットワークノード１１５の他の実施形態は、上に説明される機能性のいずれかおよび／または任意の追加の機能性（上に説明されるソリューションをサポートするのに必要な任意の機能性を含む）を含む、無線ネットワークノードの機能性の特定の側面を提供することを担い得る、図８に示されるもの以外の追加のコンポーネントを含み得る。様々な異なるタイプのネットワークノードは、同じ物理ハードウェアを有するが、異なる無線アクセス技術をサポートするように（例えば、プログラミングにより）設定されたコンポーネントを含み得るか、または部分的もしくは完全に異なる物理コンポーネントを表し得る。
【００７９】
図９は、特定の実施形態に従う、例示的な無線ネットワークコントローラまたはコアネットワークノードのブロック概略図である。ネットワークノードの例としては、移動体交換局（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）などが挙げられ得る。無線ネットワークコントローラまたはコアネットワークノードは、プロセッサ９２０、メモリ９３０、およびネットワークインターフェース９４０を含む。いくつかの実施形態において、プロセッサ９２０は、ネットワークノードによって提供されるものとして上に説明される機能性の一部またはすべてを提供するための命令を実行し、メモリ９３０は、プロセッサ９２０によって実行される命令を格納し、ネットワークインターフェース９４０は、ゲートウェイ、スイッチ、ルータ、インターネット、公衆交換電話網（ＰＳＴＮ）、ネットワークノード１１５、無線ネットワークコントローラ、またはコアネットワークノードなどの任意の好適なノードに信号を通信する。
【００８０】
プロセッサ９２０は、無線ネットワークコントローラまたはコアネットワークノードの説明される機能の一部またはすべてを実施するための命令および操作データを実行するために、１つまたは複数のモジュール内に実装されるハードウェアおよびソフトウェアの任意の好適な組み合わせを含み得る。いくつかの実施形態において、プロセッサ９２０は、例えば、１つもしくは複数のコンピュータ、１つもしくは複数の中央処理ユニット（ＣＰＵ）、１つもしくは複数のマイクロプロセッサ、１つもしくは複数のアプリケーション、および／または他の論理を含み得る。
【００８１】
メモリ９３０は、論理、規則、アルゴリズム、コード、テーブルなどのうちの１つもしくは複数を含むコンピュータプログラム、ソフトウェア、アプリケーションなどの命令、および／またはプロセッサによって実行されることが可能である他の命令を格納するように概して動作可能である。メモリ９３０の例としては、コンピュータメモリ（例えば、ランダムアクセスメモリ（ＲＡＭ）またはリードオンリメモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、ならびに／または、情報を格納する任意の他の揮発性もしくは不揮発性の非一時的なコンピュータ可読および／もしくはコンピュータ実行可能メモリデバイスが挙げられる。
【００８２】
いくつかの実施形態において、ネットワークインターフェース９４０は、プロセッサ９２０に通信可能に結合され、ネットワークノードの入力を受信する、ネットワークノードからの出力を送信する、入力もしくは出力もしくは両方の好適な処理を実施する、他のデバイスに通信する、または先述の任意の組み合わせを行うように動作可能な、任意の好適なデバイスを指し得る。ネットワークインターフェース９４０は、ネットワークを通じて通信するために、プロトコル変換およびデータ処理能力を含む、適切なハードウェア（例えば、ポート、モデム、ネットワークインターフェースカードなど）およびソフトウェアを含み得る。
【００８３】
ネットワークノードの他の実施形態は、上に説明される機能性のいずれかおよび／または任意の追加の機能性（上に説明されるソリューションをサポートするのに必要な任意の機能性を含む）を含む、ネットワークノードの機能性の特定の側面を提供することを担い得る、図９に示されるもの以外の追加のコンポーネントを含み得る。
【００８４】
図１０は、特定の実施形態に従う、例示的な無線デバイス１１０のブロック概略図である。無線デバイス１１０は、１つまたは複数のモジュールを含み得る。例えば、無線デバイス１１０は、決定モジュール１０１０、通信モジュール１０２０、受信モジュール１０３０、入力モジュール１０４０、ディスプレイモジュール１０５０、および任意の他の好適なモジュールを含み得る。無線デバイス１１０は、図１から図６に関して上に説明される機能を実施し得る。
【００８５】
決定モジュール１０１０は、無線デバイス１１０の処理機能を実施し得る。例えば、決定モジュール１０１０は、ビームＩＤ情報を受信および処理して、セルＩＤ情報を決定し得る。決定モジュール１０１０はまた、グループＩＤ情報を受信および処理し得る。決定モジュール１０１０はさらに、チャネル推定およびビーム形成スイープを実施し得る。決定モジュール１０１０は、図７に関連して上に説明されるプロセッサ７２０など、１つまたは複数のプロセッサを含むか、またはそれに含まれ得る。決定モジュール１０１０は、上に説明される決定モジュール１０１０および／またはプロセッサ７２０の機能のいずれかを実施するように設定されるアナログおよび／またはデジタル回路を含み得る。上に説明される決定モジュール１０１０の機能は、特定の実施形態においては、１つまたは複数の全く異なるモジュール内で実施され得る。
【００８６】
通信モジュール１０２０は、無線デバイス１１０の送信機能を実施し得る。通信モジュール１０２０は、ネットワーク１００のネットワークノード１１５のうちの１つまたは複数にメッセージを送信し得る。通信モジュール１０２０は、図７に関連して上に説明されるトランシーバ７１０など、送信器および／またはトランシーバを含み得る。通信モジュール１０２０は、メッセージおよび／または信号を無線送信するように設定される回路を含み得る。特定の実施形態において、通信モジュール１０２０は、決定モジュール１０１０から送信のためのメッセージおよび／または信号を受信し得る。特定の実施形態において、上に説明される通信モジュール１０２０の機能は、１つまたは複数の全く異なるモジュール内で実行され得る。
【００８７】
受信モジュール１０３０は、無線デバイス１１０の受信機能を実施し得る。１つの例として、受信モジュール１０３０は、ビームＩＤ情報、グループＩＤ情報、およびセルＩＤ情報を受信し得る。ビームＩＤおよびセルＩＤはリンクされ得る。受信モジュール１０３０は、図７に関連して上に説明されるトランシーバ７１０など、受信器および／またはトランシーバを含み得る。受信モジュール１０３０は、メッセージおよび／または信号を無線受信するように設定される回路を含み得る。特定の実施形態において、受信モジュール１０３０は、受信したメッセージおよび／または信号を決定モジュール１０１０に通信し得る。
【００８８】
入力モジュール１０４０は、無線デバイス１１０向けのユーザ入力を受信し得る。例えば、入力モジュールは、キー押下、ボタン押下、タッチ、スワイプ、音声信号、映像信号、および／または任意の他の適切な信号を受信し得る。入力モジュールは、１つまたは複数のキー、ボタン、レバー、スイッチ、タッチスクリーン、マイク、および／またはカメラを含み得る。入力モジュールは、受信した信号を決定モジュール１０１０に通信し得る。
【００８９】
ディスプレイモジュール１０５０は、無線デバイス１１０のディスプレイ上に信号を提示し得る。ディスプレイモジュール１０５０は、ディスプレイ、ならびに／またはディスプレイ上に信号を提示するように設定される任意の適切な回路およびハードウェアを含み得る。ディスプレイモジュール１０５０は、決定モジュール１０１０からディスプレイ上に提示するための信号を受信し得る。
【００９０】
決定モジュール１０１０、通信モジュール１０２０、受信モジュール１０３０、入力モジュール１０４０、およびディスプレイモジュール１０５０は、ハードウェアおよび／またはソフトウェアの任意の好適な設定を含み得る。無線デバイス１１０は、上に説明される機能性のいずれかおよび／または任意の追加の機能性（本明細書に説明される様々なソリューションをサポートするのに必要な任意の機能性を含む）を含む、任意の好適な機能性を提供することを担い得る、図１０に示されるもの以外の追加のモジュールを含み得る。
【００９１】
図１１は、特定の実施形態に従う、例示的なネットワークノード１１５のブロック概略図である。ネットワークノード１１５は、１つまたは複数のモジュールを含み得る。例えば、ネットワークノード１１５は、決定モジュール１１１０、通信モジュール１１２０、受信モジュール１１３０、および任意の他の好適なモジュールを含み得る。いくつかの実施形態において、決定モジュール１１１０、通信モジュール１１２０、受信モジュール１１３０、または任意の他の好適なモジュールのうちの１つまたは複数は、図８に関連して上に説明されるプロセッサ８２０など、１つまたは複数のプロセッサを使用して実施され得る。特定の実施形態において、様々なモジュールのうちの２つ以上のモジュールの機能は、組み合わされて単一のモジュールにされ得る。ネットワークノード１１５は、図１から図１０に関して上に説明される機能を実施し得る。
【００９２】
決定モジュール１１１０は、ネットワークノード１１５の処理機能を実施し得る。例えば、決定モジュール１１１０は、グループＩＤ情報、ビームＩＤ情報、およびセルＩＤ情報を決定し得る。決定モジュール１１１０は、ビームＩＤをセルＩＤにリンクさせ得る。決定モジュール１１１０は、図８に関連して上に説明されるプロセッサ８２０など、１つまたは複数のプロセッサを含むか、またはそれに含まれ得る。決定モジュール１１１０は、上に説明される決定モジュール１１１０および／またはプロセッサ８２０の機能のいずれかを実施するように設定されるアナログおよび／またはデジタル回路を含み得る。決定モジュール１１１０の機能は、特定の実施形態においては、１つまたは複数の全く異なるモジュール内で実施され得る。例えば、特定の実施形態において、決定モジュール１１１０の機能性のいくつかは、割り当てモジュールによって実施され得る。
【００９３】
通信モジュール１１２０は、ネットワークノード１１５の送信機能を実施し得る。１つの例として、通信モジュール１１２０は、グループＩＤ情報、ビームＩＤ情報、およびセルＩＤ情報を送信し得る。通信モジュール１１２０は、無線デバイス１１０のうちの１つまたは複数にメッセージを送信し得る。通信モジュール１１２０は、図８に関連して上に説明されるトランシーバ８１０など、送信器および／またはトランシーバを含み得る。通信モジュール１１２０は、メッセージおよび／または信号を無線送信するように設定される回路を含み得る。特定の実施形態において、通信モジュール１１２０は、決定モジュール１１１０または任意の他のモジュールから送信のためのメッセージおよび／または信号を受信し得る。
【００９４】
受信モジュール１１３０は、ネットワークノード１１５の受信機能を実施し得る。受信モジュール１１３０は、無線デバイスから任意の好適な情報を受信し得る。受信モジュール１１３０は、図８に関連して上に説明されるトランシーバ８１０など、受信器および／またはトランシーバを含み得る。受信モジュール１１３０は、メッセージおよび／または信号を無線受信するように設定される回路を含み得る。特定の実施形態において、受信モジュール１１３０は、受信したメッセージおよび／または信号を決定モジュール１１１０または任意の他の好適なモジュールに通信し得る。
【００９５】
決定モジュール１１１０、通信モジュール１０２０、および受信モジュール１０３０は、ハードウェアおよび／またはソフトウェアの任意の好適な設定を含み得る。ネットワークノード１１５は、上に説明される機能性のいずれかおよび／または任意の追加の機能性（本明細書に説明される様々なソリューションをサポートするのに必要な任意の機能性を含む）を含む、任意の好適な機能性を提供することを担い得る、図１１に示されるもの以外の追加のモジュールを含み得る。
【００９６】
アイドルおよび接続モードモビリティ用のＮＲ同期信号例
ＬＴＥでは、アイドルＵＥは、そのサービングセルを選択および再選択する。ＬＴＥセルは、一般には、その同期信号（ＰＳＳ／ＳＳＳ）によって規定される。ＰＳＳ／ＳＳＳの検出およびそれとの同期の際、ＵＥは、セルＩＤ（ＰＣＩ）を知っている。ＰＳＳ／ＳＳＳとの緊密な接続は、システム情報の取得でもある。したがって、ＰＳＳ／ＳＳＳは、アイドルモード同期信号の目的にかなう。
【００９７】
ＬＴＥでは、ＲＲＣ接続されたＵＥは、近隣セルの品質を測定し、それらを潜在的なハンドオーバ候補として評価する。ここで、ＰＳＳ／ＳＳＳは、セルを識別するために再び使用され、対応するＣＲＳにおける測定は、サービングｅノードＢに報告され、サービングｅノードＢは、この報告を使用して、来るべきハンドオーバのためにターゲットｅノードＢを準備する。ここで、ＰＳＳ／ＳＳＳは、接続モード同期信号の目的にかなう。
【００９８】
ＬＴＥでは、ＰＳＳ／ＳＳＳは、５ｍｓごとに送信される。例えば、極端なハンドオーバシナリオの場合、そのような頻繁な送信は、良好なハンドオーバ性能を確実にすることが必要とされる。したがって、期間は、接続モード要件を満たすように選択されている。アイドルモード性能の場合、そのような頻繁な送信は不必要であり、適度なアイドルモード性能が、はるかに疎らな送信により得られ得る。標準への小さな追加、例えば、アイドルモード測定ウィンドウの導入により、十分なアイドルモード性能が、多くの配置において、１００ｍｓのアイドルモード同期信号周期性で得られ得る。したがって、接続モード同期信号は、頻繁に送信される必要があり得る一方、アイドルモード同期信号は、低周期性で送信され得る。
【００９９】
アイドルモードでの信号の疎らな送信、および任意のＲＲＣ接続されたＵＥがサーブされる必要があるとすぐにより頻繁な送信を使用することによって、ネットワークエネルギー消費は最小限にされ得る。そうした方向への第一歩は、小セル増強作業において進められ、ここでは、ＰＳＳ／ＳＳＳは、いかなるＵＥに対してもアクチベートされていないキャリア上で疎らに送信された。次いで、追加のＰＳＳ／ＳＳＳが、キャリアが少なくとも１つのＵＥに対してアクチベートされたときに送信された。その状況が図１２に例証される。図１２は、アイドルモードおよび接続モード同期信号の送信を示す。アイドルモード同期信号の周期性は、アイドルモード手続き：セル再選択、システム情報取得、およびランダムアクセスのための競合性能を取得するために選ばれる。
【０１００】
さらに、本システムは、将来の送信方式を設計するときに検討される必要があるＡｌｗａｙｓ−ｏｎ信号送信が少ないため、より将来に対応している。加えて、Ａｌｗａｙｓ−ｏｎ信号の疎らな送信では、信号が必要なときにだけ頻繁に送信されるため、オーバーヘッドの量は最低限に保たれ得る。ＲＲＣ接続モードにあるＵＥの場合でさえ、５ｍｓの周期性は、極端な状況に対処するために必要とされるだけであるということに留意されたい。ほぼすべての状況において、より疎らな送信は、接続モード手続きにも十分である。
【０１０１】
最後に、無免許スペクトルにおいて配置されるとき、アイドルモード信号の頻繁な送信（例えば、５ｍｓごと）は許可されない。そのような配置の場合、より疎らな送信が利用されなければならない。そのような疎らな送信方式は、ＬＡＡにすでに導入されており、ＭｕｌｔｅＦｉｒｅにも導入されているところである。ＮＲは、無免許帯で、ならびに他のライセンス方式の下で動作するように始めから設計されなければならない。
【０１０２】
アイドルモード同期信号の疎らな送信は、ネットワークエネルギー消費および将来の互換性のために重要である。無免許帯での動作は、アイドルモード信号が疎らに送信されることを必要とし得る。
【０１０３】
ＮＲでは、アイドルモード手続きは、疎らに、例えば１００ｍｓごとに送信される同期信号により、すべての関連ＫＰＩを満たさなければならない。ＵＥは、ＲＲＣ接続モードにあるときには、追加の同期信号に依拠し得る。
【０１０４】
アイドルモード手続きにおける要件を疎らに送信される同期信号により満たすために、追加の機能性が、ネットワーク側で導入される必要があり得る。例えば、ネットワークは、セル再選択中にＵＥを支援するため、ＬＡＡにおけるＤＭＴＣウィンドウに類似した測定ウィンドウを提供し得、次いでネットワークは、すべての関連アイドルモード同期信号がその測定ウィンドウ内で送信されることを確実にする。
【０１０５】
先に述べたように、アイドルモード信号の疎らな送信は、例えば小セル内での特定の配置、または無免許帯内での動作のために、ＬＴＥにおいてもすでに導入されている。ＮＲの場合、そのような動作は、より多くの配置に拡大され得る。珍しいケースにおいてのみ、アイドルモード信号の頻繁な送信が、必要とされるべきである。
【０１０６】
５Ｇのための最も繰り返される動機のうちの１つは、５Ｇが高度アンテナのフル活用を可能にするべきであるということである。アナログビーム形成およびデジタルビーム形成の両方がサポートされるべきであり、拡大カバレッジ、増大されたセルエッジスループット、および改善された容量を提供する。配置が、高度アンテナシステムを使用することによって高セルエッジビットレートを提供するように寸法決定されるとき、システム情報などの信号ならびにセル再選択および初期アクセスのための参照信号は、広幅ビームを有する十分なカバレッジまたはさらに全方向性送信を依然として達成することができる。依然として、高度アンテナは、それが個々のＵＥへのデータレートを上げるために使用される場合には、接続モードにおいて決定的である。測定を実施し、ターゲットノードへのハンドオーバを実行するために、ＵＥは、データを受信するのと同時に接続モード同期信号を受信することができなければならない。ＮＲでは、大量にビーム形成されたデータを受信すると同時に接続モード同期信号を受信することが可能でなければならない。
【０１０７】
本質的に、ＵＥで受信される信号の電力は、ビーム形成の結果として高くなる。データ信号および同期信号の同時受信を可能にするために、それらは、同様の電力でＵＥにおいて受信されなければならない。より正確には、両方の信号の受信電力は、ＵＥ受信器のダイナミックレンジ内に入らなければならない。この状況が図１３に描写される。図１３は、データ信号および同期信号の受信電力がＵＥ受信器のダイナミックレンジ内に入らなければならないことを示す。
【０１０８】
この要件は、接続モード同期信号に当てはまる。ＵＥがアイドルモードにあるとき、ＵＥは、高利得ビーム形成を使用してデータを受信しておらず、図１内のダイナミックレンジ問題は発生しない。
【０１０９】
全方向性送信およびビーム形成送信の同時受信の問題を避けるために、ビーム形成送信内の送信ギャップが導入され得る。この送信ギャップは、すべての関連周波数内近隣が測定され得るように十分に長くなければならない。この手法と関連した大きな欠点として、ｉ）オーバーヘッドに起因して性能の損失がある、ｉｉ）近隣接続モード同期信号送信が送信ギャップと協調されなければならないという２つが存在する。したがって、頻繁な接続モード同期信号送信の場合にさえ、ＵＥは、どんな時にも周波数内測定を実施することができない。
【０１１０】
送信ギャップが望ましくない場合、ビーム形成されたデータ送信と同時に受信されるべきである任意の信号は、それがＵＥ受信器ウィンドウ内に入るように、同様にビーム形成されなければならない。当然ながら、これは、アイドルモード同期信号についても言えることである。したがって、アイドルモード同期信号が接続モードで受信されなければならない場合、それは、ビーム形成がカバレッジの理由で必要とされないときにさえも同様にビーム形成されなければならない。アイドルモード同期信号のこのビーム形成は、システム情報プロビジョニングのための増大されたオーバーヘッドをもたらす。それはまた、ネットワーク計画を複雑にする。
【０１１１】
先に説明されるように、システム情報（ＳＩ）のブロードキャストは、アイドルモード同期信号の送信に緊密に関連する。ＳＩをブロードキャストするためには、ＳＦＮ（単一周波数ネットワーク）送信に依拠することができることが非常に望ましい。最小限のシステム情報が、ＳＦＮ送信には都合が良く、ＳＩは、多くの場合、広範囲にわたって同じであり、それは、ブロードキャストにより提供されるべきであり、セル境界上のカバレッジは困難である。ＮＲでは、多くのＴＲＰを通じたＳＦＮ送信を使用してシステム情報を配信することが可能でなければならない。
【０１１２】
アイドルモード同期信号は、ＳＩの一部を受信するために使用される同期源として使用され得るため、それは、ＳＩと同じ送信方式を使用しなければならない。アイドルモード同期信号がそのようなＳＦＮクラスタを通じて送信されるとき、ＵＥは、個々のＴＲＰから送信されるアイドルモード同期信号を区別することができない。ＳＩを配信するためにＳＦＮを使用するとき、クラスタ内の個々のＴＲＰを接続モードハンドオーバターゲットとして識別するためにアイドルモード同期信号を使用することができない。
【０１１３】
ＳＦＮ信号が接続モードハンドオーバ測定のためのターゲットとして使用される場合、ＵＥは、ＳＦＮクラスタ全体に引き渡される。次いで、ＳＦＮクラスタ内の最良のＴＲＰを見つけるために追加の手続きが必要とされる。
【０１１４】
アイドルモードでのＳＦＮ送信を可能にするため、および大量にビーム形成されたデータの送信の存在下での接続モード参照信号の受信を可能にするために、ネットワークは、接続モードＳＳ送信と比較してアイドルモードＳＳ送信については異なるビーム形成を使用し得る。
【０１１５】
動的負荷平衡化は、ネットワークがネットワークノード間のトラフィックを再分配する手続きである。動的負荷平衡化の主な動機は、高負荷のノードから低負荷のノードへのオフロードトラフィックである。
【０１１６】
別々の接続モード同期信号では、トラフィックは、単にその信号の送信電力を低減することによって、過負荷のセルから引き渡され得る。初期アクセスが依然としてアイドルモード同期信号を使用して実施される場合、システムのアクセシビリティは影響を受けない。接続モードモビリティがアイドルモード同期信号に基づく場合、この手続きは不可能であり、アイドルモード同期信号の送信電力の調整は、初期アクセス性能、したがってシステムの基本カバレッジに影響を与える。
【０１１７】
アイドルモードおよび接続モードの両方について１つの同期でシステム内で動的負荷平衡化を実施することは、代わりに、個々のＵＥ内のモビリティしきい値に依拠しなければならない。この手続きは遅いだけでなく、１つ１つすべてのＵＥのしきい値が変更されることを必要とする。別々の接続モード同期信号では、動的負荷平衡化は、効率的に実施され得る。図１４は、大量にビーム形成されたデータの存在下でＳＦＮ送信および接続モード参照信号の受信をそれぞれ可能にするためのアイドルモード（広幅ビーム）および接続モード（狭マルチビーム）での同期信号の異なるビーム形成を示す。
【０１１８】
アイドルモードおよび接続モード同期信号に対する要件は、少なくともある程度は異なる。この観点から、図１５に例証されるように、ここでは問題にアプローチするための２つのやり方が存在する。手法（ａ）では、同期信号は、アイドルモードおよび接続モード要件を満たすように別々に設計される。したがって、アイドルモード同期信号は、アイドルモードＵＥからの要件を考慮するように設計され、接続モード同期信号は、接続モードＵＥからの要件を考慮するように設計される。これは、各信号がその個々の目的のために最適化されることを結果としてもたらし、結果として生じる配置は効率的である。このとき、同一ではない２つの信号が結果として生じ得る可能性が極めて高い。手法（ｂ）では、１つの同期信号が、アイドルおよび接続モードのための要件の上位集合を満たすように設計され、折衷設計を結果としてもたらす。次いで、同期信号は、アイドルおおびＲＲＣ接続のＵＥの必要性を満足するように配置される。標準において取り込むべき信号設計は１つ存在し得る。
【０１１９】
アイドルモードおよび接続モード同期信号の要件は、多くの場合において、非常に異なる。したがって、ＲＡＮ１は、ＲＲＣ接続モードにあるＵＥは、接続モードモビリティ測定の目的のためにアイドルモード同期信号とは異なるＤＬ信号に依拠し得る。
【０１２０】
ＮＲ  ＤＬモビリティ測定信号設計例について
Ｒ１−１６０９６６８、「ＮＲ  Ｓｙｎｃｈｒｏｎｉｚａｔｉｏｎ  ｓｉｇｎａｌｓ  ｆｏｒ  ｉｄｌｅ  ａｎｄ  ｃｏｎｎｅｃｔｅｄ  ｍｏｄｅ  ｍｏｂｉｌｉｔｙ」、Ｅｒｉｃｓｓｏｎ、３ＧＰＰ  ＴＳＧ−ＲＡＮ  ＷＧ１  ＃８６ｂｉｓ、リスボン、ポルトガル、２０１６年１０月１０〜１４日（参照により本明細書に組み込まれる）では、自己完結型原理に従い、同期、ＴＲＰ識別、および信号品質測定機能をサポートするアクティブモードモビリティ信号の必要性が論じられる。この論文において、本発明者らは、アクティブモードモビリティＲＳのための信号フォーマット設計を提案する。
【０１２１】
Ｒ１−１６０９６６８、「ＮＲ  Ｓｙｎｃｈｒｏｎｉｚａｔｉｏｎ  ｓｉｇｎａｌｓ  ｆｏｒ  ｉｄｌｅ  ａｎｄ  ｃｏｎｎｅｃｔｅｄ  ｍｏｄｅ  ｍｏｂｉｌｉｔｙ」、Ｅｒｉｃｓｓｏｎ、３ＧＰＰ  ＴＳＧ−ＲＡＮ  ＷＧ１  ＃８６ｂｉｓ、リスボン、ポルトガル、２０１６年１０月１０〜１４日に記載されるように、ＤＬモビリティ測定信号は、以下の機能を満たさなければならない：
・粗シンボルＴ／Ｆ同期を可能にする
・ＴＲＰまたはビーム識別を提供する
・十分な品質を有するリンク信号品質測定を可能にする
【０１２２】
１つの重要な特徴は、モビリティ信号が、サービングリンク信号と緊密に（ＣＰレベル）動機され得ないＴＲＰからの信号の候補リンク品質の測定をサポートしなければならないということである。必要なＤＬモビリティ特徴をサポートするために、自己完結型信号設計は、同期、識別、および品質測定のための特徴を含まなければならない。
【０１２３】
ＭＲＳは、効率的なモビリティビームスイープ（ＴＸ）およびスキャン（ＲＸ）をサポートしなければならない。従来の設計では、例えば、ＰＳＳ／ＳＳＳ、異なるフィールド。ＭＲＳの異なる部分を別々に送信するために複数シンボルを用いる設計において、スイープおよびスキャン時間の持続時間は、必要とされるシンボルの数で乗じられる。
【０１２４】
これらの機能を提供するために、図１６に描写される信号フォーマットが提案される。チャネル全体は、ＳＣＨ、および信号と呼ばれる。信号は、ここではＴＳＳと呼ばれる同期フィールド、および、ここではＢＲＳと呼ばれるリンク（セルまたはビーム）アイデンティティフィールドの２つのフィールドからなる。フィールドは、所与の数のビームのためのビームスイープ持続時間を半分にする単一のＯＦＤＭシンボルへと多重化される。ビームスイープのためのＭＲＳシンボルの使用は、図１６によっても例証される。同じＴＲＰからのビームは、同じＴＳＳを使用し得るが、ＢＲＳフィールドは個々のビームを識別する。図１６は、ＴＳＳおよびＢＩＤフィールド（Ｔ連結およびＦ連結）からなるＭＲＳ信号設計、ならびにスイープにおける複数ＭＲＳの使用を示す。
【０１２５】
図は、２つのフィールドへの等しいリソース割り当てを示すが、それらは、不均等に割り当てられ得る。
【０１２６】
ＬＴＥにおいてはＰＳＳに計算的に類似する、ＴＳＳフィールドは、好ましくは、初期タイミング同期のためにＬＴＥで使用されているＺａｄｏｆｆ−Ｃｈｕシーケンスである。単一のシーケンス、または少ない数のシーケンスが、ＵＥ検索労力を最小限にするために使用されるべきである。
【０１２７】
ＬＴＥにおいては機能がＳＳＳに類似する、ＢＲＳシーケンスは、疑似ランダム２進シーケンス、例えば、ＭシーケンスまたはＧｏｌｄシーケンスでなければならない。良好な相互相関特性を有する数十から数百のＢＲＳシーケンスが、収容されなければならない。
【０１２８】
図１７は、ＭＲＳを生成するための送信器構造およびＭＲＳ信号生成（Ｔ連結）を示す。時間領域連結は、これが両方のフィールドの周波数多様性を最大限にし得、全ＭＲＳ周波数幅がＴＳＳベースのタイミング推定に使用されることを可能にすることから好ましい。
【０１２９】
ＵＥ受信器は、第１に、適切なタイミングおよび周波数検索グリッドを使用して時間領域内のＴＳＳシーケンスを検索する。シンボルタイミングおよび周波数同期を取得した後、ＦＦＴが適用され、ＭＲＳサブキャリアが抽出される。ＭＲＳサブキャリアのＩＤＦＴ後、ＢＲＳ（ＩＤ信号）シンボルが、時間領域表現内で得られる。ＢＲＳは、ＢＲＳ仮説のセットに関する整合フィルタリングによって識別され得る。
【０１３０】
ＭＲＳ品質測定の場合、シンボル全体（両方のフィールド）が、信号品質推定のために使用され得る。
【０１３１】
設計ＭＲＳは、同期部ならびにビーム識別および識別部を含む二部式信号フォーマットであり得る。単一のＯＦＤＭシンボル内にＴＳＳ部およびＢＲＳ部を多重化することがサポートされ得る。
【０１３２】
修正、追加、または省略が、本開示の範囲から逸脱することなく、本明細書に説明されるシステムおよび装置に対して行われてもよい。システムおよび装置のコンポーネントは、統合または分離されてもよい。さらには、システムおよび装置の動作は、より多くのコンポーネント、より少ないコンポーネント、または他のコンポーネントによって実施されてもよい。加えて、システムおよび装置の動作は、ソフトウェア、ハードウェア、および／または他の論理を含む任意の好適な論理を使用して実施され得る。本文書において使用される場合、「各」は、セットの各部材、またはセットのサブセットの各部材を指す。
【０１３３】
修正、追加、または省略が、本開示の範囲から逸脱することなく、本明細書に説明される方法に対して行われてもよい。本方法は、より多くのステップ、より少ないステップ、または他のステップを含んでもよい。加えて、ステップは、任意の好適な順序で実施されてもよい。
【０１３４】
本開示は特定の実施形態に関して説明されているが、実施形態の修正または並べ替えは当業者には明らかであるものとする。したがって、実施形態の上の説明は、本開示を制約しない。他の変更、置き換え、および修正が、以下の請求項によって規定されるような本開示の趣旨および範囲から逸脱することなく可能である。
【０１３５】
先の説明に使用される略語は、以下を含み得る。
ＡＰ  アクセスポイント
ＢＳ  基地局
ＢＲＳ  ビーム参照信号
ＢＳＣ  基地局コントローラ
ＢＴＳ  ベーストランシーバ基地局
ＣＰＥ  顧客宅内機器
ＣＲＳ  セル特有参照信号
ＣＱＩ  チャネル品質インジケータ
ＣＳＩ  チャネル状態情報
ＣＳＩ−ＲＳ  チャネル状態情報参照信号
Ｄ２Ｄ  デバイスツーデバイス
ＤＬ  ダウンリンク
ＤＭＲＳ  復調用参照信号
ｅＮＢ  エボルブドノードＢ
ＥＰＤＣＣＨ  拡張物理ダウンリンク制御チャネル
ＦＦＴ  高速フーリエ変換
ＩＤＦＴ  離散逆フーリエ変換
ＬＡＮ  ローカルエリアネットワーク
ＬＥＥ  ラップトップ埋込型機器
ＬＭＥ  ラップトップ搭載型機器
ＬＴＥ  Ｌｏｎｇ  Ｔｅｒｍ  Ｅｖｏｌｕｔｉｏｎ
Ｍ２Ｍ  マシンツーマシン
ＭＡＮ  メトロポリタンエリアネットワーク
ＭＣＥ  マルチセル／マルチキャスト協調エンティティ
ＭＣＳ  変調レベルおよび符号化方式
ＭＳＲ  マルチスタンダード無線
ＮＲ  Ｎｅｗ  Ｒａｄｉｏ
ＯＦＤＭ  直交周波数分割多重
ＰＤＣＣＨ  物理ダウンリンク制御チャネル
ＰＤＳＣＨ  物理ダウンリンク共有チャネル
ＰＳＴＮ  公衆交換電話網
ＲＢ  リソースブロック
ＲＮＣ  無線ネットワークコントローラ
ＲＲＣ  無線リソース制御
ＲＲＨ  リモート無線ヘッド
ＲＲＵ  リモートラジオユニット
ＴＲＰ  送受信ポイント
ＴＳＳ  ＴＲＰ同期信号
ＴＴＴ  トリガ時間
ＵＥ  ユーザ機器
ＵＬ  アップリンク
ＷＡＮ  広域ネットワーク
【図１】
2019534644.tif 000003
【図２】
2019534644.tif 000004
【図３】
2019534644.tif 000005
【図４】
2019534644.tif 000006
【図５】
2019534644.tif 000007
【図６Ａ】
2019534644.tif 000008
【図６Ｂ】
2019534644.tif 000009
【図６Ｃ】
2019534644.tif 000010
【図６Ｄ】
2019534644.tif 000011
【図７】
2019534644.tif 000012
【図８】
2019534644.tif 000013
【図９】
2019534644.tif 000014
【図１０】
2019534644.tif 000015
【図１１】
2019534644.tif 000016
【図１２】
2019534644.tif 000017
【図１３】
2019534644.tif 000018
【図１４】
2019534644.tif 000019
【図１５】
2019534644.tif 000020
【図１６】
2019534644.tif 000021
【図１７】
2019534644.tif 000022
【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
１つまたは複数のビーム送信の発生源を識別するためにセル識別子を送信するためのネットワークノード（１１５）における方法（６４５）であって、
前記ネットワークノード（１１５）のセル識別子（３１０）を決定すること（６５０）と、
前記ネットワークノード（１１５）のビームのビーム識別子を決定すること（６５５）と、
前記セル識別子（３１０）および前記ビーム識別子をリンクさせること（６６０）と、
前記ビーム識別子および前記セル識別子（３１０）を１つまたは複数のユーザ機器（１１０）に送信すること（６６５）であって、前記セル識別子（３１０）を第１のサブフィールドおよび第２のサブフィールドへ分割することを含み、前記第１のサブフィールドが、前記第２のサブフィールドとは別々に変調され、前記セル識別子（３１０）が、前記ビーム識別子の関数を含む復調用参照信号により１つまたは複数のリソースエレメントで送信される、送信すること（６６５）と
を含む、方法（６４５）。
【請求項２】
前記セル識別子（３１０）を前記ビーム識別子とリンクさせることが、
前記ビーム識別子からシーケンスを取得することと、
前記セル識別子（３１０）を前記シーケンスでスクランブルすることと
を含む、請求項１に記載の方法（６４５）。
【請求項３】
前記セル識別子（３１０）を前記ビーム識別子とリンクさせることが、
前記ビーム識別子からシーケンスを取得することと、
送信された前記セル識別子（３１０）と関連付けられたフィールドを前記シーケンスでスクランブルすることと
を含む、請求項１に記載の方法（６４５）。
【請求項４】
前記セル識別子（３１０）が、周波数領域内でスクランブルされる、請求項１から３のいずれか一項に記載の方法（６４５）。
【請求項５】
前記セル識別子（３１０）が、シンボル内のリソースエレメントを占有する、エンコードおよび直交振幅変調されたシンボルのシーケンスである、請求項１から４のいずれか一項に記載の方法（６４５）。
【請求項６】
前記セル識別子（３１０）が、ビーム識別子送信とは別々に送信される、請求項１から４のいずれか一項に記載の方法（６４５）。
【請求項７】
前記セル識別子（３１０）が、物理ダウンリンク制御チャネルを通じて送信される、請求項６に記載の方法（６４５）。
【請求項８】
前記ビーム識別子が、前記物理ダウンリンク制御チャネルを受信するための無線ネットワーク一時識別子にマップする、請求項７に記載の方法（６４５）。
【請求項９】
前記セル識別子（３１０）が、前記ユーザ機器（１１０）に定期的に送信されるようにスケジューリングされる、請求項１および６から８のいずれか一項に記載の方法（６４５）。
【請求項１０】
前記セル識別子（３１０）と前記ビーム識別子とのマッピングを用いて前記ユーザ機器（１１０）を設定することをさらに含む、請求項１に記載の方法（６４５）。
【請求項１１】
前記セル識別子（３１０）を前記ビーム識別子とリンクさせることが、前記ビーム識別子に基づいて、時間／周波数リソース、復調用参照信号、および変調レベルのうちの１つまたは複数、ならびにセル識別子送信のための符号化方式を選択することを含む、請求項１に記載の方法（６４５）。
【請求項１２】
前記セル識別子の送信が、前記ビーム識別子の送信と同じ直交周波数分割多重シンボル内で実施される、請求項１に記載の方法（６４５）。
【請求項１３】
１つまたは複数のビーム送信の発生源を識別するためにセル識別子を受信するためのＵＥ（１１０）における方法（６７０）であって、
ネットワークノードからビーム識別子を受信すること（６７５）と、
前記ビーム識別子にリンクされたセル識別子（３１０）を受信すること（６８０）であって、前記セル識別子（３１０）が、第１のサブフィールドおよび第２のサブフィールドへ分割され、前記第１のサブフィールドが、前記第２のサブフィールドとは別々に変調され、
前記セル識別子（３１０）が、復調用参照信号により１つまたは複数のリソースエレメントで送信される、受信すること（６８０）と、
前記ビーム識別子の関数として前記復調用参照信号のシーケンスを抽出することと、
前記１つまたは複数のリソースエレメントを使用してチャネルを推定することと、
前記セル識別子（３１０）を復調することと
を含む、方法（６７０）。
【請求項１４】
前記セル識別子（３１０）が、前記ビーム識別子の送信とは別々に送信される、請求項３に記載の方法（６７０）。
【請求項１５】
１つまたは複数のビーム送信の発生源を識別するためにセル識別子を送信するためのネットワークノード（１１５）であって、
メモリ（８３０）と、
前記メモリ（８３０）に通信可能に結合されるプロセッサ（８２０）と、を備え、前記プロセッサ（８２０）が、
前記ネットワークノード（１１５）のセル識別子（３１０）を決定し、
前記ネットワークノード（１１５）のビームのビーム識別子を決定し、
前記セル識別子（３１０）および前記ビーム識別子をリンクさせ、
前記ビーム識別子および前記セル識別子（３１０）を１つまたは複数のユーザ機器（１１０）に送信することであって、前記セル識別子を送信することが、前記セル識別子（３１０）を第１のサブフィールドおよび第２のサブフィールドへ分割することを含み、前記第１のサブフィールドが、前記第２のサブフィールドとは別々に変調され、前記セル識別子（３１０）が、前記ビーム識別子の関数を含む復調用参照信号により１つまたは複数のリソースエレメントで送信される、送信する
ように設定される、ネットワークノード（１１５）。
【請求項１６】
前記セル識別子（３１０）を前記ビーム識別子とリンクさせることが、
前記ビーム識別子からシーケンスを取得することと、
前記セル識別子（３１０）を前記シーケンスでスクランブルすることと
を含む、請求項１５に記載のネットワークノード（１１５）。
【請求項１７】
前記セル識別子（３１０）を前記ビーム識別子とリンクさせることが、
前記ビーム識別子からシーケンスを取得することと、
前記セル識別子（３１０）と関連付けられたフィールドを前記シーケンスでスクランブルすることと
を含む、請求項１５に記載のネットワークノード（１１５）。
【請求項１８】
前記セル識別子（３１０）が、前記ビーム識別子の送信とは別々に送信される、請求項１５に記載のネットワークノード（１１５）。
【請求項１９】
１つまたは複数のビーム送信の発生源を識別するためにセル識別子を受信するためのユーザ機器（１１０）であって、
メモリ（７３０）と、
前記メモリ（７３０）に通信可能に結合されるプロセッサ（７２０）と、を備え、前記プロセッサ（７２０）が、
ネットワークノードからビーム識別子を受信し、
前記ビーム識別子にリンクされたセル識別子（３１０）を受信することであって、前記セル識別子（３１０）が、第１のサブフィールドおよび第２のサブフィールドへ分割され、前記第１のサブフィールドが、前記第２のサブフィールドとは別々に変調される、受信し、
前記ビーム識別子の関数として復調用参照信号シーケンスを抽出し、
前記１つまたは複数のリソースエレメントを使用してチャネルを推定し、
前記セル識別子（３１０）を復調する
ように設定される、ユーザ機器（１１０）。
【請求項２０】
前記プロセッサ（７２０）が、
前記ネットワークノードからの前記ビーム識別子と関連付けられたモビリティ参照信号からスクランブリングシーケンスを抽出し、
前記スクランブリングシーケンスを使用して前記セル識別子（３１０）をデスクランブルするようにさらに設定される、請求項１９に記載のユーザ機器（１１０）。
【請求項２１】
前記セル識別子（３１０）が、第１のサブフィールドおよび第２のサブフィールドへ分割され、前記第１のサブフィールドが、前記第２のサブフィールドとは別々に変調される、請求項１９または２０に記載のユーザ機器（１１０）。
【請求項２２】
前記セル識別子（３１０）が、周波数領域内でスクランブルされる、請求項１９から２１のいずれか一項に記載のユーザ機器（１１０）。
【請求項２３】
前記セル識別子（３１０）が、シンボル内のリソースエレメントを占有する、エンコードおよび直交振幅変調されたシンボルのシーケンスである、請求項１９に記載のユーザ機器（１１０）。
【請求項２４】
前記セル識別子（３１０）が、前記ビーム識別子の送信とは別々に送信される、請求項１９に記載のユーザ機器（１１０）。
【請求項２５】
前記セル識別子（３１０）が、物理ダウンリンク制御チャネルを通じて送信される、請求項２４に記載のユーザ機器（１１０）。
【請求項２６】
前記ビーム識別子が、前記物理ダウンリンク制御チャネルを受信するための無線ネットワーク一時識別子にマップする、請求項２５に記載のユーザ機器（１１０）。
【請求項２７】
前記セル識別子（３１０）が、前記ユーザ機器（１１０）に定期的に送信されるようにスケジューリングされる、請求項１９および２４から２６のいずれか一項に記載のユーザ機器（１１０）。
【請求項２８】
前記ユーザ機器（１１０）が、前記セル識別子（３１０）と前記ビーム識別子とのマッピングを用いて設定される、請求項１９に記載のユーザ機器（１１０）。
【請求項２９】
前記プロセッサ（７２０）が、前記ビーム識別子と関連付けられたビームの信号品質を推定するために、前記ビーム識別子および前記セル識別子（３１０）を使用するようにさらに設定される、請求項１９から２８のいずれか一項に記載のユーザ機器（１１０）。
【請求項３０】
前記プロセッサ（７２０）が、受信したモビリティ参照信号をそれらの発生元セルに従ってグループ分けするために、受信した前記セル識別子を使用するようにさらに設定される、請求項１９から２９のいずれか一項に記載のユーザ機器（１１０）。
【国際調査報告】
2019534644.tif 000023
2019534644.tif 000024
2019534644.tif 000025
2019534644.tif 000026